(57)【要約】【課題】家族間の絆を容易に構築することを目的とする。また、家族間の絆に基づいて、所定の目的を達成することを目的とする。【解決手段】複数の携帯端末とネットワーク接続されている情報処理装置であって、家族と家族員のデータ登録を行う家族員、家族データ登録処理部と、家族間関係の登録を行う家族間関係登録処理部と、前記家族間関係登録処理部により登録された家族間関係に基づいて、目的に応じた目的別の家族絆を構築する家族絆登録処理部と、を有することを特徴とする情報処理装置。【選択図】図１
2018067272.tif 000002
【特許請求の範囲】
【請求項１】
複数の携帯端末とネットワーク接続されている情報処理装置であって、
家族と家族員のデータ登録を行う家族員、家族データ登録処理部と、
家族間関係の登録を行う家族間関係登録処理部と、
前記家族間関係登録処理部により登録された家族間関係に基づいて、目的に応じた目的別の家族絆を構築する家族絆登録処理部と
を有することを特徴とする情報処理装置。
【請求項２】
前記家族員、家族データ登録処理部は、
家族・家族員登録申請者端末からの家族データの入力に基づいて、家族を一意に識別する家族番号を生成し、家族員番号、前記家族員のメールアドレスを含む家族データおよび家族代表者データとともに、メモリに格納し、
前記家族間関係登録処理部は、
前記家族の一員が所持する家族間関係構築申請者端末から前記家族とは異なる家族間関係構築被申請者端末に対して行われる家族間関係申請番号を提示した家族間関係構築申請に応じて、前記家族代表者の家族間関係構築被申請者端末からの家族間関係構築受諾（承認）の返信を待って、前記家族間関係申請番号、前記家族間関係構築被申請者端末の前記家族番号と、前記家族間関係構築申請者端末から見た家族の種類と、前記家族間関係構築被申請者端末の前記家族番号、前記家族間関係構築被申請者端末からみた家族の種類を含む家族間関係データを構築する
請求項１に記載の情報処理装置。
【請求項３】
前記家族絆登録処理部は、
前記家族の一員が所持する家族絆構築申請者端末からの目的を含む家族絆構築申請に応じて、前記家族絆構築申請を一意に識別する家族絆番号を生成し、前記家族間関係データによる家族データに含まれる前記家族間関係構築被申請者端末のメールアドレス宛ての前記家族代表者の家族間関係構築被申請者端末からの家族間関係構築受諾の返信を待って、
前記家族絆番号と、前記目的、絆参加家族番号、前記絆参加家族番号に紐づく絆参加家族代表者家族員番号、絆参加家族員番号、とを含む、家族絆データを構築する
請求項２に記載の情報処理装置。
【請求項４】
前記家族絆登録処理部は、
前記家族絆データに基づき家族間の承認を条件に労務提供を目的とする家族絆を構築する労務提供家族絆構築処理部、
又は、
前記家族絆データに基づき家族間の承認を条件に資金協力を目的とする資金協力家族絆構築処理部
を含む請求項３に記載の情報処理装置。
【請求項５】
前記家族の一員が所持する隣人有志者登録申請者端末からの目的と絆内容種類とを含む隣人有志者登録申請に応じて、前記隣人有志者登録申請を一意に識別する有志者番号を生成し、
隣人有志絆申請者端末からの 目的と絆内容種類を含む隣人有志絆登録申請に応じて、目的と絆内容種類とが一致する前記隣人有志者登録申請をもつ前記有志者番号の端末へ隣人有志絆登録の諾否のメールを発信し、受諾の返信を待って隣人有志絆登録処理を行う隣人有志絆登録処理部を有する請求項２から４までのいずれか１項に記載の情報処理装置。
【請求項６】
さらに、前記隣人有志絆登録処理部に格納されているデータから商品・サービスが一致する有志者登録申請者端末と隣人有志絆申請者端末との間で通信を行う隣人有志絆処理部とにより、目的を達成するために役立つ情報を取得することを特徴とする請求項５に記載の情報処理装置。
【請求項７】
請求項１から６までのいずれか１項に記載の情報処理装置と、
複数の携帯端末と、を有する情報処理システム。
【請求項８】
請求項１から６までのいずれか１項の情報処理を行うためのプログラム。
【発明の詳細な説明】
【技術分野】
【０００１】
本発明は、情報処理装置等に関する。
【背景技術】
【０００２】
下記特許文献１は、子育て支援サーバの処理部は、ユーザ識別情報に基づいて、ユーザの個人情報を登録するユーザデータベースから前記ユーザ識別情報に合致したユーザの個人情報を特定し、特定した個人情報に基づいて、子育てに必要な日常生活全般にわたる情報を時系列的に配置、登録した子育て情報データベースから、前記ユーザ識別情報に合致したユーザに適合するように子育て支援情報を自動調整して提供する。
【先行技術文献】
【特許文献】
【０００３】
【特許文献１】特開２００１−３３８０４１号公報
【発明の概要】
【発明が解決しようとする課題】
【０００４】
家族は、人類に普遍的に見られる。
人類は、家族を単位とした生計活動だけでなく、複数の家族のあいだで緊密な関係を築き、そのなかの家族が課題を抱えるときには解決に協力し活動を行う。また、家族の枠を超えて、災害時の被災地支援など見ず知らずの困っている人を助けたりする。
人類は家を出て独り立ちしても元の家族との関係が維持される特徴をもっていることから、家族間の相互関係は必ずあり、家族間のネットワークはWeb状といえる。しかし、家族を単位とするWebは作られているが、残念なことに情報システムで表現する技術は発表されていない。
一方、家族間の相互関係に基づく協力活動は、ヒト・モノ・カネ・情報に従い、労務協力（ヒト）、物品協力（モノ）、資金協力（カネ）、情報協力（情報）などに分けることが出来る。本書では相互関係と協力活動を総称して絆と呼ぶ。
【０００５】
これらの絆による協力活動には、多かれ少なかれ商品・サービスを購入（利用）することが含まれている。
絆を情報システムで表現する技術が開発されれば、家族間のネットワークが実現できること、家族間や個人・家族間の協力活動が推進されること、協力活動をベースにそのネットワーク上を商品・サービス情報が流れることが可能になる。これにより、個人消費が進み、ビジネスと結びつければ大きな個人生活産業基盤となり得る。
【０００６】
以下に、例示的な活動を示す。
家族間家族関係：家族と家族の関係
家族絆：親兄弟等を中心とする家族間の特定の目的の関係構築とそれに基づく協力活動
隣人有志絆：家族員個人が他の家族等に対して行う関係構築とそれに基づく協力活動
【０００７】
本発明は、家族絆や隣人有志絆など家族間の絆を容易に構築することを目的とする。また、家族間の絆に基づく居六活動について、所定の目的を達成することを目的とする。
【課題を解決するための手段】
【０００８】
本発明の一観点によれば、複数の携帯端末とネットワーク接続されている情報処理装置であって、家族と家族員のデータ登録を行う家族員、家族データ登録処理部と、家族間関係の登録を行う家族間関係登録処理部と、前記家族間関係登録処理部により登録された家族間関係に基づいて、目的に応じた目的別の家族絆を構築する家族絆登録処理部と、を有することを特徴とする情報処理装置。
【発明の効果】
【０００９】
本発明によれば、家族間の絆を構築することが容易になる。
また、家族間の絆に基づいて、所定の目的を達成することが容易になる。
【図面の簡単な説明】
【００１０】
【図１】図１は、Ａ：家族員、家族データ登録を行う家族員、家族データ登録処理部のシステム構成例を示す機能ブロック図である。
【図２】図２は、Ｂ：家族間関係、家族絆登録を行う家族間関係、家族絆登録処理部のシステム構成例を示す機能ブロック図である。
【図３】図３は、Ｃ：隣人有志者登録を行う隣人有志者登録処理部、Ｄ：隣人有志絆登録を行う隣人有志絆登録処理部、Ｅ：労務提供を目的とする家族絆を構築する家族絆構築処理部（目的別の家族絆構築処理部）システム構成例を示す機能ブロック図である。
【図４】図４は、Ｆ：資金協力を目的とする資金協力家族絆構築処理部、Ｇ；隣人有志絆を構築する隣人有志絆処理部、のシステム構成例を示す機能ブロック図である。
【図５】ログインなどの利用開始処理の流れを示すフローチャート図である。
【図６】家族員、家族データ登録処理の流れを示すフローチャート図である。
【図７Ａ】家族間関係登録処理の流れを示すフローチャート図である。
【図７Ｂ】家族間関係登録処理の流れを示すフローチャート図であり、図７Ａに続く図である。
【図８】家族絆登録処理の流れを示すフローチャート図である。
【図９】隣人有志者登録処理の流れを示すフローチャート図である。
【図１０】隣人有志絆登録処理の流れを示すフローチャート図である。
【図１１】家族絆（目的：労務提供）処理の流れを示すフローチャート図である。
【図１２Ａ】家族絆（労務提供）の処理であって、（ａ）労務提供実績登録処理、（ｂ）閲覧・労務提供者へのメッセージ登録処理、（ｃ）閲覧・労務提供承認登録処理のそれぞれの流れを示すフローチャート図である。
【図１２Ｂ】図１２Ａに続く図である。
【図１３Ａ】家族員絆（労務提供）処理の続きを示すフローチャート図である。
【図１３Ｂ】図１３Ａに続く図である。
【図１４】家族員絆による資金協力処理の流れを示すフローチャート図である。
【図１５Ａ】図１５Ａ（ａ）は、口座見える化実績登録処理の流れを示すフローチャート図である。図１５Ａ（ｂ）は、口座見える化承認処理の流れを示すフローチャート図である。
【図１５Ｂ】図１５Ｂ（ｃ）は、管理簿実績登録処理の流れを示すフローチャート図である。図１５Ｂ（ｄ）は、管理簿承認判断入力処理の流れを示すフローチャート図である。
【図１６Ａ】隣人有志絆を適用した処理例を示す図である。図１６（ｂ）は、登録後の先行体験情報、専門知識情報の提供処理の流れを示す図である。
【図１６Ｂ】図１６Ａに続く図である。
【図１７】家族絆構築承認回答画面例を示す図である。
【図１８】労務提供実績閲覧・メッセージ/画像入力画面例を示す図である。
【図１９】労務提供出費実績閲覧・メッセージ入力画面例を示す図である。
【図２０】家族絆を構築する各端末に記録の種類、入出金の種類、入出金金額、残高、入金元/出金先、摘要、画像の入力画面例を示す図である。
【図２１】家族絆口座実績閲覧・承認判断入力画面例を示す図である。
【図２２】家族絆資金出入管理簿閲覧・承認判断入力画面例を示す図である。
【図２３】家族絆番号と家族絆名を得、得られた家族絆番号、家族絆名と家族絆選択ボタンを示す図である。
【図２４】隣人有志絆申請番号と絆名を得、得られた隣人有志絆申請番号、件名と隣人有志絆選択ボタンを示す図である。
【発明を実施するための形態】
【００１１】
以下、本発明の実施の形態による情報処理技術について図面等を参照しながら詳細に説明する。
まず、以下に、用語を定義する。
家族：  夫婦・親子を中心とし感情的絆に基づいて継続的に相互に関わりながら生活を営んでいる成員（家族員）の集まり（住まいベース）
家族員：  家族の成員
法律上の家族の判定にとらわれない。生活を共にしていることが重要である。
生物学的な家族の判定にとらわれない。生活を共にしていることが重要である。
相続人であるかどうかにもとらわれない。
【００１２】
また、前提として、誰でも、PCやスマホを利用できるものとする。個人や家族等の識別は、メールアドレスなどを用いる。情報システム上では、家族はいわゆる核家族（父・母・子）。同居の祖父母等は別の家族として取り扱うものとする。
【００１３】
図１から図４までは、本実施の形態による情報処理システムの一構成例を示す機能ブロック図である。情報処理は、携帯端末（クライント端末）Ｙと、管理サーバ３（家族ネットワークサーバ＝情報処理装置）との間で、ネットワーク（ＮＴ）を介して行われる。図１は、Ａ：家族員、家族データ登録を行う家族員、家族データ登録処理部のシステム構成例を示す機能ブロック図である。図２は、Ｂ：家族間関係、家族絆登録を行う家族間関係、家族絆登録処理部のシステム構成例を示す機能ブロック図である。図３は、Ｃ：隣人有志者登録を行う隣人有志者登録処理部、Ｄ：隣人有志絆登録を行う、Ｅ：労務提供を目的とする家族絆を構築する、隣人有志絆登録処理部、労務提供を目的とする家族絆を構築する家族絆構築処理部（目的別の家族絆構築処理部）システム構成例を示す機能ブロック図である。図４は、Ｆ：資金協力を目的とする資金協力家族絆構築処理部、Ｇ：隣人有志絆を構築する隣人有志絆処理部、のシステム構成例を示す機能ブロック図である。管理サーバ３には、メモリが備えられ、各種の情報、データを格納することができる。
【００１４】
図１から図４までにおいて、各携帯端末に、ログインユーザ端末Ｙ−０，家族・家族員登録申請者端末Ｙ−１、家族間関係構築申請者端末Ｙ-２、家族間関係構築被申請者端末Ｙ-３、家族絆申請者端末Ｙ-４、家族絆被申請者端末Ｙ−５、隣人有志者登録申請者端末Ｙ−６、隣人有志絆申請者端末Ｙ-７、家族絆（療養看護/労務提供）労務提供者端末Ｙ−８、家族絆（療養看護/労務提供）家族員者端末Ｙ−９、（家族絆（療養看護/資金協力）入出金記録管理者端末Ｙ−１０、家族絆（療養看護/資金協力）家族員端末Ｙ−１０、隣人有志絆申請者端末Ｙ−１１、隣人有志絆チーム員端末Ｙ−１２、隣人有志絆チームリーダ端末Ｙ−１３に区別して説明するが、これらは、ハードウェア的な区別ではなく、所持者を明確にするために付した例示的な呼称である。
【００１５】
以下に、図５から図１６までのフローチャート図に沿って、処理の内容について詳細に説明する。
図５：  ログインなどの利用開始処理
処理Ｓ１
（処理の開始）
家族員（以下、「操作家族員」という）は、ログインユーザ端末Ｙ−０から家族ネットワークサーバ３にアクセスし、家族ネットワークサーバ３はログインボタンと家族新規登録ボタンを端末に表示させる。操作家族員によるログインユーザ端末Ｙ−０からのクリック入力データを受け付け、得られたデータが家族新規登録ボタンのクリックのときはステップＳ１１のＡ：家族員、家族データ登録処理に遷移し、ログインボタンのクリックのときはステップＳ２ログイン処理に遷移する。
【００１６】
処理Ｓ２
（ログイン処理）
家族ネットワークサーバ３はログインユーザ端末Ｙ−０にＩＤ，パスワードを入力するログイン画面を表示させ、操作家族員による家族・家族員登録申請者端末Ｙ−１からの、ＩＤ，パスワード入力データを受け付ける。家族ネットワークサーバ３は、得られたＩＤ，パスワードデータをＫＥＹに表１のJ-２家族員レコードを検索し、同レコードのＩＤ，パスワードのデータと一致するレコードの家族番号、家族員番号、氏名、メールアドレスのデータをそれぞれログイン家族番号、ログイン家族員番号、ログイン氏名、ログインメールアドレスとする。
【００１７】
【表１】
2018067272.tif 000003
【００１８】
処理Ｓ３
家族ネットワークサーバ３は、ログインユーザ端末Ｙ−０に各種設定ボタンとサービス利用ボタンを表示させ、操作家族員によるクリック入力データを受け付ける。得られたデータが各種設定ボタンのクリックのときは、ステップＳ４の各種登録設定受付処理に遷移し、サービス利用ボタンのクリックのときはステップＳ５サービス利用処理に遷移する。
【００１９】
処理Ｓ４：  各種登録設定受付
家族ネットワークサーバ３は、ログインユーザ端末Ｙ−０、Ｂ：家族間関係登録ボタン、Ｃ：家族絆登録ボタン、Ｄ：隣人有志者登録ボタン、Ｅ：隣人有志絆登録ボタンのいずれかを表示させる。
例えば、表示が、Ｂ：家族間関係登録ボタンクリックのときはボタン入力データ＝１、Ｃ：家族絆登録ボタンクリックのときはボタン入力データ＝２、Ｄ：隣人有志者登録ボタンクリックのときはボタン入力データ＝３、Ｅ：隣人有志絆登録ボタンクリックのときはボタン入力データ＝４となる。
ログインユーザ端末Ｙ−０らのクリック入力を受け付け、受け付けたデータからボタン入力データを得る。ボタン入力データ＝１のときはステップＳ２１のＢ：家族間関係登録処理へ遷移し、ボタン入力データ＝２のときはステップＳ５１のＣ：家族絆登録処理へ遷移し、ボタン入力データ＝３のときはステップＳ７１のＤ：隣人有志者登録理へ遷移し、ボタン入力データ＝４のときはステップＳ８１のＥ：  隣人有志絆登録処理へ遷移する。
尚、処理Ｓ５については、後述する。
【００２０】
図６は、Ａ：家族員、家族データ登録処理の流れを示すフローチャート図である。
ここでフローチャートにおけるＡ：家族員、家族データ登録処理の流れは、家族データ登録処理部が行う。すなわち、各処理のフローに対応する処理部が、家族ネットワークサーバ３に設けられている。以下の処理においても同様である。たとえば、家族員、家族データ登録を行う家族員、家族データ登録処理部と、家族間関係の登録を行う家族間関係登録処理部と、前記家族間関係登録処理部により登録された家族間関係に基づいて、目的に応じた目的別の家族絆を構築する家族絆構築処理部とを有する。
【００２１】
処理Ｓ１１
（Ａ：家族員、家族データ登録処理 ）
（家族の登録）
家族ネットワークサーバ３は、新規にJ-１家族レコードと家族番号を生成するとともに、家族・家族員登録申請者端末Ｙ−１に家族名、住所、電話番号の家族データ入力画面を表示させ、家族・家族員登録申請者端末Ｙ−１から入力されたデータを入力データとして受け付ける。
【００２２】
処理Ｓ１２
得られた入力データから家族名、住所、電話番号のデータを、生成した家族番号と共に生成したJ-１家族レコードの同名のデータ名のデータとして同レコードに格納する。
処理Ｓ１３
（家族代表者の家族員データの登録）
【００２３】
【表２】
2018067272.tif 000004
【００２４】
家族ネットワークサーバ３は、新規にJ-２家族員レコードと家族員番号を生成するとともに、家族・家族員登録申請者端末Ｙ−１に、「家族代表者入力」と表示させ、さらに氏名、メールアドレス、家族構成から見た家族員の種類（参照：表２のT-1家族構成から見た家族員の種類）の家族員データの入力画面を表示させ、入力された家族員のデータを入力データとして受け付ける。得られた入力データから氏名、メールアドレス、家族構成から見た家族員の種類の家族員データのデータを、生成された家族番号および生成した家族員番号と共に生成したJ-２家族員レコードの同名のデータ名のデータとして同レコードに格納する。
【００２５】
処理Ｓ１４
家族ネットワークサーバ３は、ステップＳ１３の家族番号と家族員番号のデータをJ-３家族代表者レコードの家族番号と代表者家族員番号のデータとして同レコードに格納する。
【００２６】
処理Ｓ１５
ステップＳ１３で得た家族代表者メールアドレスへ登録完了メール発信する。
【００２７】
（他の家族員データの登録）
処理Ｓ１６
家族ネットワークサーバ３は、家族・家族員登録申請者端末Ｙ−１に家族員追加登録ボタンと登録終了ボタンを表示させ、ボタンクリック入力を受け付ける。家族員追加登録ボタンと登録終了ボタンは、家族員追加登録ボタンがクリックされれば、ボタン入力データ＝１、登録終了ボタンがクリックされれば、ボタン入力データ＝０となる。受け付けた入力データから、ボタン入力データ＝１のときはステップＳ１７の（他の家族員データの登録処理）へ遷移し、ボタン入力データ＝０のときは、処理を終了する。
【００２８】
処理Ｓ１７
（他の家族員データの登録処理） 
家族ネットワークサーバ３は、新規にJ-２家族員レコードと家族員番号を生成するとともに、家族・家族員登録申請者端末Ｙ−１に氏名、メールアドレス、家族構成から見た家族員の種類（参照：表２のT-1家族構成から見た家族員の種類）の家族員データの入力画面を表示させ、入力された家族員のデータを入力データとして受け付ける。
得られた入力データから氏名、メールアドレス、家族構成から見た家族員の種類の家族員データのデータを、ステップＳ１１で得られた家族番号および生成した家族員番号と共に、生成したJ-２家族員レコードの同名のデータ名のデータとして同レコードに格納する。
ステップＳ１６へ遷移する。
【００２９】
（家族間関係登録処理）
図７Ａ、図７Ｂは、家族間関係登録処理の流れを示すフローチャート図である。
ここでフローチャートにおける家族間関係登録処理の流れは、家族間関係登録処理部が行う。
家族間関係構築申請処理において、以下の処理が行われる。
家族間関係構築処理において、操作家族員を申請者と呼び、申請者が家族間関係構築を求める相手の家族と家族員をそれぞれ被申請家族、被申請者と呼ぶ。
【００３０】
処理Ｓ２１
家族ネットワークサーバ３は、家族間関係構築申請者端末Y-２に「家族間関係構築申請手続き開始」を表示させる。
【００３１】
（家族間関係構築申請）
【表３】
2018067272.tif 000005
【００３２】
処理Ｓ２２
（送信準備）
家族ネットワークサーバ３は家族間関係申請番号を生成し、申請者家族員番号＝ログイン家族員番号とし、次の回答依頼メール送信・回答受信側による回答受信の準備を行う。すなわち、回答送信者確認・受信後処理指示データとそれに対応する確認・処理指示等文字列を生成し（表３のＫＰ−５参照、以下、本明細書では同様の処理を確認・処理指示等文字列を生成するという）、家族間関係申請番号、申請者家族員番号、確認・処理指示等文字列、回答送信者確認・受信後処理指示データのデータをKP-１申請者本人確認レコードの同名データ名のデータとして同レコードに格納する。なお、回答送信者確認・受信後処理指示データの回答送信者確認部分には申請者家族員番号が含まれている。
【００３３】
処理Ｓ２３
（申請者本人確認メール送信）
家族ネットワークサーバ３は、申請者メールアドレス＝ログインメールアドレス、申請者氏名＝ログイン氏名とし、生成した確認・処理指示等文字列を含む申請者氏名宛の本人確認回答入力ページを家族ネットワークサーバ３の家族ネットワークサーバ上に作成すると共に本人確認回答入力ページのＵＲＬを得る。次いで、申請者メールアドレスへ当該ＵＲＬを含む本人確認回答依頼メールを送信する。
本人確認回答入力ページは、例えば、「申請者氏名”様“、ご本人ですか？」と確認ボタンと否認ボタンから構成されている。確認ボタンがクリックされれば、ボタン入力データ＝１、否認ボタンがクリックされれば、ボタン入力データ＝０となる。
【００３４】
処理Ｓ２４
（申請者本人確認受信、処理再開）
申請者は、家族間関係構築申請者端末Y-２が受信した本人確認回答依頼メールから得られた本人確認回答入力ページを表示し、確認ボタンか否認ボタンをクリックする。
【００３５】
【表４】
2018067272.tif 000006
【００３６】
処理Ｓ２５
家族ネットワークサーバ３は、ステップＳ２４の申請者クリック操作による回答入力データを受け付け、得られたデータから確認・処理指示等文字列とボタン入力データを得る。表４のKP-１申請者本人確認レコードの確認・処理指示等文字列が、得られた確認・処理指示等文字列のデータと一致するレコード（当該KP-１申請者本人確認レコード）から回答送信者確認・受信後処理指示データを抽出し、送信者の照合と受信後処理指示を確認する。照合できなかった場合は、家族間関係構築申請者端末Y-２に「確認できません」と表示させ、Ｓ２１へ遷移する。照合できた場合は、次の処理を行う。すなわち、得られたデータがボタン入力データ＝１であることを確認するとともに、Ｓ２６へ進む。
【００３７】
【表５】
2018067272.tif 000007
【００３８】
処理Ｓ２６
（被申請者は申請者を知っているか尋ねるまで）
家族ネットワークサーバ３は、ステップＳ２５で得られた当該KP-１申請者本人確認レコードから家族間関係申請番号、申請者家族員番号を得る。さらに、家族間関係構築申請者端末Y-２に回答（承認）お願い文、被申請者氏名、被申請者電話番号、被申請者メールアドレス、被申請者から見た申請者家族の家族種類（例えば、表５のT-2家族種類）、申請者から見た被申請者家族の家族種類の家族間関係構築承認申請データ入力画面を表示し、申請者による入力データを受け付け、家族間関係申請番号、申請者家族員番号と共にKP-２家族間関係確認申請レコードの同名データ名のデータとして同レコードに格納する。
【００３９】
処理Ｓ２７
家族ネットワークサーバ３は、前ステップでKP-２家族間関係確認申請レコードに格納したすべてのデータを編集し、被申請者用の確認・処理指示等文字列を生成し、生成した確認・処理指示等文字列を含む申請者確認回答ページを家族ネットワークサーバ３上に作成し登録、ＵＲＬを得、ＵＲＬを添付し被申請者のメールアドレスへメールを送信する。申請者確認回答ページはログイン画面と確認回答入力画面から構成されている。
【００４０】
処理Ｓ２８
家族ネットワークサーバ３は、KP-３被申請者による申請者確認レコードを新規生成し家族間関係申請番号と確認・処理指示等文字列のデータをKP-３被申請者による申請者確認レコードの同名のデータ名のデータとして同レコードに格納する。
【００４１】
処理Ｓ２９
家族ネットワークサーバ３は、家族間関係構築申請者端末Y-２に被申請者追加ボタンと入力終了ボタンを表示させる。被申請者追加ボタンと入力終了ボタンは、被申請者追加ボタンがクリックされれば、ボタン入力データ＝１、入力終了ボタンがクリックされれば、ボタン入力データ＝０となる。申請者によるボタンクリック入力を受け付ける。受け付けた入力データからボタン入力データを得、ボタン入力データ＝１のときはＳ２６へ遷移し、ボタン入力データ＝０のときは処理を終了する。
以下、被申請者が申請者を知っているか回答する処理を行う。
【００４２】
処理Ｓ３１（ログイン処理）
被申請者は、家族間関係構築被申請者端末Ｙ-３が受信した本人確認回答依頼メールに表示されたＵＲＬにより申請者確認回答ページを表示させ、まずログイン画面から被申請者のＩＤ、パスワードを入力する。
【００４３】
家族ネットワークサーバ３は、被申請者操作による入力データを受け付け、得られたデータから確認・処理指示等文字列とＩＤ、パスワードのデータを得る。表４のＫP-３被申請者による申請者確認レコードの確認・処理指示等文字列のデータが、得られた確認・処理指示等文字列のデータと一致するレコードから回答送信者確認・受信後処理指示データを抽出し、送信者の照合と受信後処理指示を確認する。照合できなかった場合は、家族間関係構築被申請者端末Ｙ-３に「確認できません」と表示させ、処理を終了する。照合できた場合は、次の処理を行う。すなわち、得られたデータがボタン入力データ＝１であることを確認するとともに、家族間関係申請番号、申請者家族員番号、申請者から見た被申請者家族の家族種類、被申請者から見た申請者家族の家族種類のデータを画面表示データから得、次へ進む。なお、このステップにおいてステップ２７で編集されたKP-２家族間関係確認申請レコードのデータが獲得されている。
【００４４】
家族ネットワークサーバ３は、得られたＩＤ，パスワードデータをＫＥＹにJ-２家族員レコードを検索し、一致するレコードの家族番号、家族員番号、氏名、メールアドレスのデータをそれぞれ被申請者家族番号、被申請者家族員番号、被申請者氏名、被申請者メールアドレスとする。また、J-２家族員レコードの家族員番号と前ステップで得られた申請者家族員番号が一致する同レコードのデータから家族番号とメールアドレスを得、それぞれ申請者家族番号、申請者メールアドレスとする。
【００４５】
処理Ｓ３２
次いで、家族ネットワークサーバ３は、申請者のメールアドレス回答入力画面を表示させる。被申請者は、被申請者が知っている申請者のメールアドレスを回答入力する。
【００４６】
処理Ｓ３３
家族ネットワークサーバ３は、受け付けた回答入力データからボタン入力データ、被申請者が入力した申請者のメールアドレスを得る。
【００４７】
処理Ｓ３４
家族ネットワークサーバ３は、ステップＳ３３で得られた申請者のメールアドレスと申請者メールアドレスと一致するかどうか比較し、一致するとき、かつボタン入力データ＝１のときステップＳ３５（被申請者による家族関係の承認）に進み、それ以外のときは、申請者メールアドレスと被申請者メールアドレスへ「不一致」連絡メールを発信し（ステップＳ４０ａ）、処理を終了する。
【００４８】
【表６】
2018067272.tif 000008
【００４９】
（被申請者による家族関係の承認）
処理Ｓ３５
家族ネットワークサーバ３は、家族間関係申請番号のデータと一致する家族間関係申請番号を持つKP-１家族間関係確認申請レコードのデータを編集し申請者からの回答（承認）お願い文、承認ボタンと否認ボタンを含む家族間関係確認依頼画面を作成し家族間関係構築被申請者端末Y-３に表示させる。
【００５０】
処理Ｓ３６
被申請者は、家族間関係構築被申請者端末Y-３に表示された家族間関係確認依頼画面の確認ボタンか否認ボタンをクリックする。確認ボタンと否認ボタンは、確認ボタンクリックのときは、ボタン入力データ＝１、否認ボタンクリックのときは、ボタン入力データ＝０となる。
【００５１】
処理Ｓ３７
家族ネットワークサーバ３は入力データを受けつける。
【００５２】
処理Ｓ３８
家族ネットワークサーバ３は、受け付けたデータからボタン入力データが、１のときは次のステップに進み、０のときは申請者メールアドレスと被申請メールアドレスへ家族関係不承認の連絡メールを発信し、処理を終了する。
【００５３】
【表７】
2018067272.tif 000009
【００５４】
処理Ｓ３９
次いで、家族ネットワークサーバ３は表７のK-１家族間関係レコードを新規に生成し、ステップＳ３１で得られた家族間関係申請番号、申請者家族の家族番号、申請者から見た被申請者家族の家族種類、被申請者家族の家族番号、被申請者から見た申請者家族の家族種類、のデータを生成したK-１家族間関係レコードの同名のデータ名のデータとして同レコードに格納する。
【００５５】
処理Ｓ４０
申請者及び被申請者の双方へ、家族間関係確認完了メールを送信する。
そして、家族間関係構築処理を終了する。
【００５６】
図８は、家族絆登録処理の流れを示すフローチャート図である。
ここでフローチャートにおける家族絆登録処理の流れは、家族絆登録処理部が行う。
【００５７】
（家族絆登録処理）
処理Ｓ５１
家族ネットワークサーバ３は家族絆申請者端末Ｙ-４に承認申請ボタン、承認回答ボタンを表示する。承認申請ボタンと承認回答ボタンは、家族間関係構築ボタンクリックのときはボタン入力データ＝１、承認回答ボタンクリックのときは、ボタン入力データ＝２となる。家族員によるクリック入力データを受け付け、得られたデータからボタン入力データ＝１のときはステップＳ５２の家族絆承認申請処理へ遷移し、ボタン入力データ＝２のときはステップＳ６１の家族絆承認回答処理へ遷移する。
【００５８】
（家族絆承認申請処理）
処理Ｓ５２
家族ネットワークサーバ３は、家族絆申請者端末Ｙ-４に「家族絆構築申請手続き開始」を表示させる。ログインしているのは申請者家族員端末である。申請者家族員番号＝ログイン家族員番号とする。
【００５９】
【表８】
2018067272.tif 000010
【００６０】
処理Ｓ５３
（家族絆申請内容（LP-１家族絆構築承認申請レコード）、L-１家族絆基本レコードの作成）
家族ネットワークサーバ３は、新規に家族絆番号を生成し、申請家族絆の家族絆対象家族員番号、家族絆名、絆目的、絆方法、協力（承認）お願い文の入力画面を表示し、申請者によるデータの入力を受け付ける。得られた入力データから、家族絆対象家族員番号、家族絆名、絆目的、絆方法と協力（承認）お願い文のデータを得る。新規に、表８のLP-１家族絆構築承認申請レコードを生成し、以上により得られた家族絆番号、申請者家族員番号、家族絆対象家族員番号、家族絆名、絆目的、絆方法、協力（承認）お願い文申請者家族代表者家族員番号のデータを、生成したLP-１家族絆構築承認申請レコードの同名のデータ名のデータとして同レコードに格納する。さらに新規にL-１家族絆基本レコードを生成し、家族絆番号、家族絆名、絆目的、絆方法のデータを生成したL-１家族絆基本レコードの家族絆番号、家族絆名、絆目的、家族絆方法のデータとして同レコードに格納する。
【００６１】
【表９】
2018067272.tif 000011
【００６２】
処理Ｓ５４
（家族絆に参加する申請者家族の家族員と家族代表者の検索）
家族ネットワークサーバ３は、表１のJ-２家族員レコードの家族員番号が家族絆申請家族番号と一致するJ-２家族員レコードをすべて抽出し、さらに抽出したすべてのレコードについて家族員番号、氏名を得、得られた家族員番号、氏名とともに家族絆参加登録ボタンと家族代表者登録ボタンを、例えば同一行に表示させる。家族絆参加登録ボタンはクリックされれば参加登録ボタン入力データ＝１、クリックされないときは参加登録ボタン入力データ＝０、家族代表者登録ボタンも同様にクリックされれば代表者登録ボタン入力データ＝１、クリックされないときは代表者登録ボタン入力データ＝０となる。
次いで、新規に表９のLP-４家族絆申請者家族作業用レコードを生成し、申請者による入力を受け付け、受け付けたデータから家族員番号、参加登録ボタン入力データ、代表者登録ボタン入力データを得て、得られた家族員番号、参加登録ボタン入力データ、代表者登録ボタン入力データを生成したLP-４家族絆申請者家族作業用レコードの同名のデータ名のデータとして格納する。
【００６３】
【表１０】
2018067272.tif 000012
【００６４】
処理Ｓ５５
（申請者家族の当該家族絆の参加家族員の登録）
家族ネットワークサーバ３は、受け付けた入力データの表９のLP-４家族絆申請者家族作業用レコードについて参加登録ボタン入力データ＝１であるLP-４家族絆申請者家族作業用レコードから家族員番号を得、得られた家族員番号を絆参加家族員番号とし、L-４家族絆参加家族員レコードを新規生成した上で家族絆番号と絆参加家族員番号のデータをL-４家族絆参加家族員レコードの家族絆番号、絆参加家族員番号のデータとしてそれぞれ格納する。
【００６５】
（申請者家族の当該家族絆の家族代表者の登録）
また、代表者登録ボタン入力データ＝１であるLP-４家族絆申請者家族作業用レコードから家族員番号を得、得られた家族員番号を申請者家族代表者家族員番号とする。申請者家族代表者家族員番号と一致する家族員番号を持つJ-２家族員レコードから家族番号を得、得られた家族番号を絆参加家族番号とし、L-３家族絆家族代表者レコードを新規生成した上で家族絆番号、絆参加家族番号と申請者家族代表者家族員番号のデータを表１０のL-３家族絆家族代表者レコードの家族絆番号、絆参加家族番号、絆参加家族代表者家族員番号のデータとしてそれぞれ格納する。
【００６６】
処理Ｓ５６
（申請家族絆に関連する商品・サービスの登録）
家族ネットワークサーバ３は、申請家族絆に関連する商品・サービスの入力画面を表示し、申請者によるデータ（表14のＴ−６に例示を示す）の入力を受け付ける。受け付けた入力データから商品・サービスのデータを得、家族絆番号と共に表２１のL-２家族絆商品・サービスレコードの家族絆番号、商品・サービスのデータとしてそれぞれ格納する。
【００６７】
【表１１】
2018067272.tif 000013
【００６８】
処理Ｓ５７
（関係家族の検索→関係家族レコード作成）
申請者家族員番号のデータと一致する家族員番号を持つJ-２家族員レコードから家族番号を得、家族絆申請家族番号＝家族番号とし、さらに家族絆申請家族番号のデータがK-１家族間関係レコードの申請者家族員の家族番号か被申請者家族の家族番号かいずれかに一致するレコードを抽出する。抽出したレコードすべてについて次の処理を行う。すなわち、家族絆申請家族番号＝申請者家族の家族番号のときは被申請者家族の家族番号を、表１１のKP-4関係家族レコードの関係家族・家族番号のデータとして同レコードに追加格納し、家族絆申請家族番号＝被申請者家族の家族番号のときは申請者家族の家族番号をKP-4関係家族レコードの関係家族・家族番号のデータとして同レコードに追加格納する。
【００６９】
処理Ｓ５８
（家族絆申請対象家族（被申請者）の検索とメール発信）
家族ネットワークサーバ３は、KP-4関係家族レコードのすべてのレコードについて次の処理を行う。１）J-３家族代表者レコードのうち家族番号がKP-4関係家族レコードの関係家族・家族番号と一致するレコードから代表者家族員番号を得る。２）J-２家族員レコードの家族員番号が得られた代表者家族員番号と一致するレコードからメールアドレスを得る。３）承認判断処理済フラグ＝０とし、家族絆番号、申請者家族員番号、代表者家族員番号、承認判断処理済フラグをLP-2家族絆構築承認被申請者レコードの家族絆番号、申請者家族員番号、被申請者家族員番号、承認判断処理済フラグのデータとして格納する。４）得られたメールアドレスに本文に「家族絆申請がありました。ログインしてご回答ください」とログインページのURLを記載しメールを発信する。
これにより、処理を終了し、ステップ６１に遷移する。
【００７０】
処理Ｓ６１
（家族絆承認回答処理）
ここで、ログイン家族員は被申請者である。
（被申請者に送られてきている家族絆承認申請の抽出）
家族ネットワークサーバ３は、LP-2家族絆構築承認被申請者レコードについて被申請者家族員番号＝ログイン家族員番号かつ承認判断処理済フラグ＝０であるレコードを検索し、抽出したレコードを抽出家族絆構築承認被申請者レコードと呼ぶとともに、当該レコードの家族絆番号とLP-１家族絆構築承認申請レコードの家族絆番号が一致するLP-１家族絆構築承認申請レコードを得、承認判断家族絆構築承認申請レコードとする。
【００７１】
処理Ｓ６２
（被申請者の家族員のレコードを得る）
家族ネットワークサーバ３は、J-２家族員レコードについて家族番号がログイン家族番号と一致するJ-２家族員レコードを抽出し、家族絆参加判断家族員レコードとする。
【００７２】
処理Ｓ６３
（家族絆構築承認回答画面の作成）
家族ネットワークサーバ３は、J-２家族員レコード、承認判断家族絆構築承認申請レコードと家族絆参加判断家族員レコードのデータを編集し、申請者確認回答ページ（例示  図１７の家族絆構築承認回答画面）を作成、表示させる。
被申請者による入力は家族絆参加の承認ボタン、不承認ボタンのいずれかのクリックと、表示されている家族員の家族絆の参加ボタン、および当該家族絆についての家族代表者就任の代表者ボタンである。承認ボタンクリックのときは、絆参加ボタン入力データ＝１、不承認ボタンクリックのときは、絆参加ボタン入力データ＝０、参加ボタンクリックのときは、参加ボタン入力データ＝１、および当該家族員番号＝家族員番号となり、代表者ボタンタンクリックのときは、代表者ボタン入力データ＝家族員番号となる。
【００７３】
処理Ｓ６４
（被申請者による承認判断入力受付）
家族ネットワークサーバ３は、被申請者による入力データを受け付け、受け付けた入力データから、絆参加ボタン入力データ、参加ボタン入力データと当該家族員番号、代表者ボタン入力データを得る。参加ボタン入力データと当該家族員番号は、参加ボタン入力データ＝１のとき、当該家族員番号が作業用レコードである絆参加承認家族員レコードのデータとして同レコードに格納する。
【００７４】
処理Ｓ６５
（家族絆不参加処理）
家族ネットワークサーバ３は、絆参加ボタン入力データが１のときは、ステップＳ６６（データの格納）へ進み、そうでないときはステップＳ６７の承認判断処理済フラグ処理へ遷移する。
【００７５】
処理Ｓ６６
（データの格納）
家族ネットワークサーバ３は、L-３家族絆家族代表者レコードを生成し、家族絆番号、ログイン家族番号、代表者ボタン入力データのデータを、生成したL-３家族絆家族代表者レコードの家族絆番号、絆参加家族番号、絆参加家族代表者家族員番号のデータとして格納する。次いで、絆参加承認家族員レコードのすべての当該家族員番号について次の処理を行う。すなわち、L-４家族絆参加家族員レコードを生成し、家族絆番号と当該家族員番号を生成したL-４家族絆参加家族員レコードの家族絆番号、絆参加家族員番号として同レコードに格納する。
【００７６】
処理Ｓ６７
（承認判断処理済フラグ処理）
家族ネットワークサーバ３は、LP-2家族絆構築承認被申請者レコードのなかのステップＳ６１で規定した抽出家族絆構築承認被申請者レコードの承認判断処理済フラグのデータを１とする。
以上で、家族間のある目的の応じた絆がつくるネットワークを構築する処理を終了する。
【００７７】
次に、家族とは異なる、隣人のネットワークについて説明する。
（隣人有志者登録）
ここでは、「操作家族員」を「登録者」と呼ぶ。
図９は、隣人有志者登録処理の流れを示すフローチャート図である。
【００７８】
【表１２】
2018067272.tif 000014
【００７９】
【表１３】
2018067272.tif 000015
【００８０】
【表１４】
2018067272.tif 000016
【００８１】
（隣人有志者登録処理）
処理Ｓ７１
（登録入力受付）
家族ネットワークサーバ３は、有志者登録番号を生成するとともに、登録者家族員番号＝ログイン家族員番号とし、専門資格、絆目的（例示：表１２のT-4絆目的）、絆内容種類（例示：  後述する表２０のT-7絆内容種類）、商品・サービス（例示：表１４のT-６商品・サービス）の入力画面を隣人有志者登録申請者端末Y-６に表示させ、登録者からのデータ入力を受け付ける。
【００８２】
【表１５】
2018067272.tif 000017
【００８３】
【表１６】
2018067272.tif 000018
【００８４】
【表１７】
2018067272.tif 000019
【００８５】
【表１８】
2018067272.tif 000020
【００８６】
【表１９】
2018067272.tif 000021
【００８７】
【表２０】
2018067272.tif 000022
【００８８】
処理Ｓ７２
（登録情報の格納）
家族ネットワークサーバ３は、有志者登録番号と表１５の新規M-1隣人有志絆登録者レコードを生成し、ステップＳ７１で得られたた入力データから専門資格、絆目的、絆内容種類、商品・サービスのデータを得、有志者登録番号、登録者家族員番号と共に生成した表１６のＭ−２隣人有志絆登録者レコードの同名データ名のデータとして格納する。
以上で、隣人有志者登録処理を終了する。
【００８９】
図１０は、隣人有志絆登録処理の流れを示すフローチャート図である。
ここでフローチャートにおける隣人有志絆登録処理の流れは、隣人有志絆登録部が行う。
【００９０】
（隣人有志絆登録処理）
処理Ｓ８１
（隣人有志絆構築申請登録）
家族ネットワークサーバ３は、隣人有志絆申請者端末Y-７に隣人有志絆構築申請ボタン、隣人有志絆回答ボタンを表示させる。隣人有志絆構築申請ボタンと隣人有志絆回答ボタンは、隣人有志絆構築申請ボタンがクリックされれば、ボタン入力データ＝１、隣人有志絆回答ボタンがクリックされれば、ボタン入力データ＝２となる。操作家族員によるクリック入力データを受け付け、得られたデータからボタン入力データ＝１のときは、ステップ８２の隣人有志絆申請処理へ遷移し、ボタン入力データ＝２のときはステップ８５の隣人有志絆回答処理へ遷移する。
【００９１】
（隣人有志絆申請処理）
ここでは、操作家族員を申請者と呼び、隣人有志絆申請者家族員番号＝ログイン家族員番号とする。
【００９２】
処理Ｓ８２
（隣人有志絆申請内容の入力受付）
家族ネットワークサーバ３は、隣人有志絆申請者端末Y-７に件名、絆目的（例示：表１２のT-4絆目的）、絆内容種類（例示：表２０のT-7絆内容種類）、商品・サービス（例示：T-６商品・サービス）、隣人有志絆申請内容文の入力画面に表示させ、申請者からの入力を受け付ける。
【００９３】
処理Ｓ８３
（隣人有志絆申請内容の格納）
家族ネットワークサーバ３は、隣人有志絆申請番号と表１８の新規 MP−１隣人有志絆申請レコードを生成し、ステップＳ８２で得られたた入力データから件名、絆目的、絆内容種類、商品・サービス、隣人有志絆申請内容文のデータを得、隣人有志絆申請番号、隣人有志絆申請者家族員番号と共に生成したMP−１隣人有志絆申請レコードの同名のデータ名のデータとして同レコードに格納する。
【００９４】
処理Ｓ８４
（協力依頼メールの発信）
家族ネットワークサーバ３は、次の処理をM-1隣人有志絆登録者レコードのすべてのレコードについて行う。すなわち、M-1隣人有志絆登録者レコードのうち絆目的と絆内容種類のデータがステップＳ８３で得られた絆目的と絆内容種類のデータと一致するレコードから登録者家族員番号を得、次いでJ-２家族員レコードの家族員番号のデータが登録者家族員番号と一致する同レコードからメールアドレスを得、得られたメールアドレス宛に協力依頼メールを発信する。
以上により当該処理を終了する。
ステップＳ８１において、協力依頼への回答処理の場合には、ステップＳ８５に進む。
（隣人有志絆回答処理）
ここでは、操作家族員を登録者と呼び、登録者家族員番号＝ログイン家族員番号とする。
【００９５】
処理Ｓ８５
（登録者の隣人有志絆登録データの検索）
家族ネットワークサーバ３は、表１５のM-1隣人有志絆登録者レコードを検索し得、登録者家族員番号のデータと一致する登録者家族員番号をもつレコードから絆目的、絆内容種類、商品・サービスのデータを得る。一致するレコードがないときは「隣人有志者登録はありません」と表示し、ステップ３に遷移する。
【００９６】
処理Ｓ８６
（申請隣人有志絆の検索と協力依頼文の表示、協力可・不可の受付）
家族ネットワークサーバ３は、表１８のMP−１隣人有志絆申請レコードを検索し、ステップＳ８５で得られた絆目的、絆内容種類、例えば商品・サービスのデータと一致する目的、絆内容種類、商品・サービスをもつすべてのレコードを検索、抽出する。一致するレコードがないときは、「一致する隣人有志絆登録申請がありません」と表示し、処理を終了する。
【００９７】
処理Ｓ８７
家族ネットワークサーバ３は、ステップＳ８６で抽出したMP−１隣人有志絆申請レコードのすべてについて以下の処理を１）、２）、３）を順次行う。
【００９８】
処理Ｓ８８，Ｓ８９
１）MP−１隣人有志絆申請レコードのデータから得た隣人有志絆申請内容文と、協力可ボタンと協力不可ボタン、リーダー引受可能性有ボタンとリーダー引受可能性なしボタンを表示する。協力可ボタンと協力不可ボタンは、協力可ボタンがクリックされれば、ボタン入力データ＝１、協力不可ボタンがクリックされれば、ボタン入力データ＝０となる。リーダー引受可能性有ボタンとリーダー引受可能性なしボタンは、リーダー引受可能性有ボタンがクリックされれば、引受可能性ボタン入力データ＝１、リーダー引受可能性なしボタンがクリックされれば、引受可能性ボタン入力データ＝０となる。
２）次いで登録者のクリック操作によるデータ入力を受け付ける。
３）受け付けた入力データから引受可能性ボタン入力データ＝１のときは、当該MP−１隣人有志絆申請レコードのデータから得た隣人有志絆申請番号、登録者家族員番号、引受可能性ボタン入力データをM-3隣人有志チームレコードの隣人有志絆申請番号、隣人有志チーム員家族員番号、リーダー引受可能性有無のデータとして同レコードに格納する。
以上で、当該処理を終了しステップ３に遷移する。
尚、隣人有志者チームのリーダーは、口頭など別途の方法で選定する。
【００９９】
処理Ｓ５：  サービス利用処理について
家族ネットワークサーバ３は、上記の処理で構築した家族絆、隣人有志絆を利用して、サービスに必要な固有の処理を追加して共同協力行動の実行を支援する。本明細書では、公的介護サービスではカバーしきれないところの老親の介護問題に対応する家族絆（労務提供）、自立に支援を必要とする家族の生活費問題（とくに老親の生活費管理問題）に対応する家族絆（資金協力）、住まいの確保問題（とくに老親の住まい問題）に対応する隣人有志絆について説明する。
家族ネットワークサーバ３は、所定の端末に、家族絆（労務提供）ボタン、家族絆（資金協力）ボタン、隣人有志絆ボタンを表示させる。家族絆（労務提供）ボタン、家族絆（資金協力）ボタン、隣人有志絆ボタンは、それぞれ次の動作を行う。家族員が家族絆（労務提供）ボタンをクリックしたときはボタン入力データ＝１、家族絆（資金協力）ボタンをクリックしたときはボタン入力データ＝２、隣人有志絆ボタンをクリックしたときはボタン入力データ＝３となる。
家族ネットワークサーバ３は、家族員によるクリック入力データを受け付ける。受け付けたデータから、ボタン入力データ＝１のときはステップＳ９１（図１１、Ｆ）の家族絆（労務提供）処理へ、ボタン入力データ＝２のときはステップＳ１７１（図１４、Ｇ）の家族絆（資金協力）処理へ、ボタン入力データ＝３のときはステップＳ２４１（図１６Ｂ、Ｈ）の隣人有志絆処理へ遷移する。
以下に、それぞれの処理の詳細について説明する。
【０１００】
図１１は、家族絆（目的：  労務提供）処理の流れを示すフローチャート図である。
ここで、図１１、図１２Ａ・Ｂ/図１３Ａ・Ｂと遷移するフローチャートにおける家族絆（目的：  労務提供）処理の流れは、労務提供家族絆構築処理部が行う。
【０１０１】
処理Ｓ９１
（家族絆構築とデータの登録）
当該家族は、それぞれの端末を用い、ログイン画面から開始して、家族間関係、家族絆登録の家族絆登録のステップの手順に従い、絆目的＝療養看護、家族絆方法（例示  表１３のＴ−５）＝労務協力とする家族絆の構築と登録を行い、家族ネットワークサーバ３は当該手順に従って処理を行い、処理されたデータを適切なレコードに格納する。
以下の各処理の流れについて説明する。
【０１０２】
【表２１】
2018067272.tif 000023
【０１０３】
処理Ｓ１０１
（該当する家族絆番号を得る）
家族ネットワークサーバ３は表１０の、L-４家族絆参加家族員レコードから同レコードの絆参加家族員番号のデータがログイン家族番号と一致するレコードを抽出し、さらに抽出したレコードと表２１のL-１家族絆基本レコードについて、家族絆番号のデータが一致するL-１家族絆基本レコードのうち、家族絆方法＝労務提供であるレコードを抽出するという条件で家族絆番号をKEYに検索し、該当するレコードを抽出する。
【０１０４】
処理Ｓ１０２
該当する家族絆が家族ネットワークサーバ３に登録されているか否かを判断する。
ステップＳ１０１で該当するレコードが抽出されなかった場合には、ステップＳ１０５に進む。
【０１０５】
処理Ｓ１０３
（入力・閲覧する家族絆の選択入力受付）
家族ネットワークサーバ３は、ステップＳ１０１で抽出したL-１家族絆基本レコードから家族絆番号と家族絆名を得、得られた家族絆番号、家族絆名と家族絆選択ボタンを家族絆が形成されている各端末に表示させる（例示  図２３の選択ボタン例１）。家族絆選択ボタンクリックによるボタン入力データのデータは家族絆番号となる。家族ネットワークサーバ３は、家族員による入力を受け付け、受け付けたデータから家族絆番号を得る。
【０１０６】
処理Ｓ１０４
（機能の選択受付）
家族ネットワークサーバ３は、それぞれの各端末に労務提供実績データ受付・登録等ボタンと労務提供に関わる出費状況データ受付・登録ボタンを表示させる。労務提供実績データ受付・登録等ボタンクリックのときはボタン入力データ＝１、労務提供に関わる出費状況データ受付・登録ボタンクリックのときはボタン入力データ＝２となる。家族ネットワークサーバ３は、端末のクリック入力を受け付け、受け付けた入力データからボタン入力データを得る、得られたボタン入力データが１のときはステップＳ１０６の（労務提供実績データ受付・登録等のとき）へ遷移し、２のときはステップＳ１４０の（労務提供に関わる出費状況データ受付・登録のときの処理）へ遷移する。
【０１０７】
処理Ｓ１０５
家族ネットワークサーバ３は、「該当家族絆なし」と表示し、処理を終了する。
【０１０８】
処理Ｓ１０６
図１２Ａ、図１２Ｂは、家族絆（労務提供）の処理であって、（ａ）労務提供実績登録処理、（ｂ）閲覧・労務提供者へのメッセージ登録処理、（ｃ）閲覧・労務提供承認登録処理のそれぞれの流れを示すフローチャート図である。
（労務提供実績データ受付・登録等のとき）
家族員は家族絆（労務提供）への参加メンバーである。
家族ネットワークサーバ３は、ログインユーザ端末Ｙ−０に、労務提供実績登録ボタン、労務提供者へのメッセージ登録ボタン、労務提供承認登録ボタンを表示させる。労務提供実績登録ボタン、労務提供者へのメッセージ登録ボタンと労務提供承認登録ボタンは、労務提供実績登録ボタンをクリックするとボタン入力データ＝１、労務提供者へのメッセージ登録ボタンをクリックするとボタン入力データ＝２、労務提供承認登録ボタンをクリックするとボタン入力データ＝３となる。
家族ネットワークサーバ３は、家族員によるログインユーザ端末Ｙ−０からのデータ入力を受け付ける。受け付けた入力データからボタン入力データを得て、ボタン入力データ＝１のときはステップＳ１１１の労務提供実績登録処理へ、ボタン入力データ＝２のときはステップＳ１２１の閲覧・労務提供者へのメッセージ登録処理へ、ボタン入力データ＝３のときはステップＳ１３０の閲覧・労務提供承認登録処理へ遷移する。
【０１０９】
【表２２】
2018067272.tif 000024
【０１１０】
【表２３】
2018067272.tif 000025
【０１１１】
【表２４】
2018067272.tif 000026
【０１１２】
【表２５】
2018067272.tif 000027
【０１１３】
（ａ）労務提供実績登録処理
ここでは家族員は労務提供者であり、労務提供者家族員番号＝ログイン家族員番号とする。
処理Ｓ１１１
家族ネットワークサーバ３は、家族絆（療養看護/労務提供）労務提供者端末Y-８に、労務提供日付、労務提供場所（例示：表２４のT-8労務提供場所）の入力画面を表示し、労務提供者によるデータ入力を受け付ける。
【０１１４】
処理Ｓ１１２
（労務提供番号の生成）
家族ネットワークサーバ３は、受け付けた入力データから労務提供日付、労務提供場所を得るとともに、労務提供番号と表２２のN-１労務提供基本レコードを新規生成し、家族絆番号、労務提供番号、労務提供者家族員番号、労務提供日付、労務提供場所を生成したN-１労務提供基本レコードの同名のデータ名のデータとして同レコードに格納する。
【０１１５】
処理Ｓ１１３
（労務内容データ入力の受付）
家族ネットワークサーバ３は、家族絆（療養看護/労務提供）労務提供者端末Y-８に労務内容（例示：表２５のT-9労務内容（介護））、開始時間、終了時間、労務時間、労務中撮影画像の入力画面を表示し、労務提供者によるデータ入力を受け付ける。
【０１１６】
処理Ｓ１１４
（労務内容番号の生成と入力データの格納）
家族ネットワークサーバ３は、労務内容番号と表２２のN-２労務提供内容レコードを生成し、労務提供番号、生成した労務内容番号と共に受け付けた入力データから得た労務内容、開始時間、終了時間、労務時間、画像（例  労務中撮影画像）を生成したN-２労務提供内容レコードの同名のデータ名のデータとして同レコードに格納する。
【０１１７】
処理Ｓ１１５
（追加登録の有無入力の受付）
家族ネットワークサーバ３は、家族絆（療養看護/労務提供）労務提供者端末Y-８に同日追加登録ボタンと同日登録終了ボタンを表示させる。同日追加登録ボタンと同日登録終了ボタンは、追加登録ボタンをクリックするとボタン入力データ＝１、同日登録終了ボタンをクリックするとボタン入力データ＝０となる。労務提供者によるクリック操作入力を受け付ける。受け付けた入力データからボタン入力データを得、ボタン入力データ＝１のときはステップＳ１１４の（労務内容データ入力の受付処理）へ遷移し、ボタン入力データ＝０のときは次へ進む。
【０１１８】
処理Ｓ１１６
（他の家族へのメッセージ受付）
家族ネットワークサーバ３は、家族絆（療養看護/労務提供）労務提供者端末Y-８にメッセージ、画像の入力受付画面を表示させる。表２２のN-３家族への報告レコードを生成すると共に労務提供者による入力を受け付け、受け付けた入力データからメッセージと画像のデータを得、労務提供番号、メッセージ、画像のデータを生成したN-３家族への報告レコードの同名のデータ名のデータとして同レコードに格納する。
【０１１９】
処理Ｓ１１７、Ｓ１１８
（他の日の労務提供追加登録の有無入力の受付）
家族ネットワークサーバ３は、家族絆（療養看護/労務提供）労務提供者端末Y-８に他日追加登録ボタンと登録終了ボタンを表示する。他日追加登録ボタンと登録終了ボタンは、他日追加登録ボタンをクリックするとボタン入力データ＝１、登録終了ボタンをクリックするとボタン入力データ＝０となる。労務提供者によるクリック操作入力を受け付ける。受け付けた入力データからボタン入力データを得、ボタン入力データ＝１のときはステップＳ１１１へ遷移し、ボタン入力データ＝０のときは処理を終了する。
【０１２０】
図１２Ｂ（ｂ）に示す、閲覧・労務提供者へのメッセージ登録処理においては、以下の処理が行われる。
（閲覧・労務提供者へのメッセージ登録）
（労務提供実績閲覧・メッセージ入力画面表示）
この機能は閲覧も兼ねていることから、ここでは家族員は、当該家族絆の参加メンバーであり、労務提供者も家族代表者も他の家族もあり得ることから、端末は家族絆（療養看護/労務提供）家族員端末Y-９とする。
【０１２１】
処理Ｓ１２１
家族ネットワークサーバ３は、家族絆番号をKEYに表２２のN-１労務提供基本レコード、N-２労務提供内容レコード、N-３労務提供内容レコード、N-４家族からの返答レコード、表２３のN-５労務提供承認レコードのそれぞれの家族絆番号を検索しレコードの家族絆番号＝家族絆番号であるレコードをすべて抽出し、抽出したレコードのデータとJ-２家族員レコード、L-１家族絆基本レコード、L-３家族絆家族代表者レコードも加えて、労務提供実績閲覧・メッセージ/画像入力画面（例示  図１８）を編集し、家族絆（療養看護/労務提供）家族員端末Y-９に表示させる。メッセージ入力と画像添付は、「家族から労務提供者へ」欄、「家族の承認」欄に表示される入力ボタン、添付ボタンをクリックすることにより行うことが出来る。
【０１２２】
処理Ｓ１２２
家族ネットワークサーバ３は、返答者の家族員番号＝ログイン家族員番号とし、表２２の新規N-４家族からの返答レコードを生成すると共に前ステップの労務提供実績閲覧・メッセージ/画像入力画面の「労務提供者から家族へ」欄の入力ボタン、添付ボタンをクリックすることから始まる入力・添付のデータ入力を受け付ける。受け付けた入力データから労務提供番号、返答者の家族員番号、メッセージデータ、画像データを得、生成したN-４家族からの返答レコードの同名のデータ名のデータとして同レコードに格納する。
以上で処理を終了する。
【０１２３】
図１２Ｂ（ｃ）に示す、閲覧・労務提供承認登録処理においては、以下の処理が行われる。
【０１２４】
（閲覧・労務提供承認登録）
処理１３０
（労務提供実績閲覧・承認判断入力画面表示）
家族ネットワークサーバ３は、家族絆番号をKEYに表２２のN-１労務提供基本レコード、N-２労務提供内容レコード、N-３労務提供内容レコード、N-４家族からの返答レコード、表２３のN-５労務提供承認レコードのそれぞれの家族絆番号を検索しレコードの家族絆番号＝家族絆番号であるレコードをすべて抽出し、抽出したレコードのデータとJ-２家族員レコード、L-１家族絆基本レコード、L-３家族絆家族代表者レコードも加えて、労務提供実績閲覧・メッセージ/画像入力画面（例示  図１８）を編集し、家族絆（療養看護/労務提供）労務提供者家族員端末Y-９ に表示させる。
【０１２５】
処理Ｓ１３１
（承認判断入力の有権限者かどうかの判定）
家族ネットワークサーバ３は、表１０のL-３家族絆家族代表者レコードについて、同レコードの家族絆番号のデータ＝家族絆番号となるレコードについて、絆参加家族代表者家族員番号＝ログイン家族員番号という条件を満たすレコードを検索する。
【０１２６】
処理Ｓ１３２
家族ネットワークサーバ３は、前ステップで検索結果が「なし」のときは、「承認権限なし」と表示し（ステップＳ１３６）処理を終了する。
【０１２７】
処理Ｓ１３３
（家族の承認判断の入力データ受付・格納）
家族員は、承認権限を持つ絆参加家族代表者である。
家族ネットワークサーバ３は、労務提供実績閲覧・メッセージ/画像入力画面の「家族の承認」欄の入力ボタンをクリックすることから始まる入力のデータ入力を受け付ける。すなわち、絆参加家族代表者が「家族の承認」欄の入力ボタンをクリックすると、承認ボタンと不承認ボタンが表示され、承認ボタンクリックのときはボタン入力データ＝“承認”、承認ボタンクリックのときはボタン入力データ＝“不承認”となる。受け付ける入力データは、労務内容番号とボタン入力データとなる。
【０１２８】
処理Ｓ１３４
家族ネットワーク装置（システム）３は、受け付けたデータから労務内容番号とボタン入力データを得る。
【０１２９】
処理Ｓ１３５
家族ネットワークサーバ３は、新規に表２３のN-５労務提供承認レコードを生成し、家族絆番号、労務内容番号、ボタン入力データ、絆参加家族代表者家族員番号をN-５労務提供承認レコードの家族絆番号、労務内容番号、承認結果、絆参加家族代表者家族員番号のデータとして同レコードに格納する。
また、「家族の承認」欄に、ボタン入力データのデータを表示させる。
処理を終了する。
【０１３０】
処理Ｓ１３６
「承認権限なし」と表示し、処理を終了する。
【０１３１】
処理１４０
図１３Ａ、図１３Ｂは、家族員絆（労務提供）処理の続きを示す図である。図１３Ａａ）は、労務提供に関わる出費実績登録処理を示す図である。
（労務提供に関わる出費状況データ受付・登録のとき）
（サービス機能の選択入力受付）
家族ネットワークサーバ３は、ログインユーザ端末Ｙ−０に、労務提供に関わる出費実績登録ボタン、出費者へのメッセージ登録ボタン、出費承認登録ボタンを表示させる。労務提供に関わる出費実績登録ボタンクリックのときはボタン入力データ＝１、出費者へのメッセージ登録ボタンクリックのときはボタン入力データ＝２、出費承認登録ボタンクリックのときはボタン入力データ＝３となる。次いで、入力データを受け付け、受け付けたデータからタン入力データを得る。ボタン入力データ＝１のときはステップＳ１４１の労務提供に関わる出費実績登録処理（ａ）へ遷移し、ボタン入力データ＝２のときはステップＳ１５０の閲覧・出費者へのメッセージ登録処理（ｂ）へ遷移し、ボタン入力データ＝３のときはステップＳ１６０の閲覧・出費承認登録処理（ｃ）へ遷移する。
（労務提供に関わる出費実績登録処理（ａ））
家族員は労務提供者である。
【０１３２】
図１３Ａ（ａ）は、労務提供に関わる出費実績登録処理の流れを示すフローチャート図である。
（出費日付のデータ入力の受付）
処理Ｓ１４１
（労務提供出費番号の生成、出費日付の入力受付）
家族ネットワークサーバ３は、家族絆（療養看護/労務提供）労務提供者端末Y-８に出費日付の入力画面を表示し、データ入力を受け付ける、
【０１３３】
処理Ｓ１４２
受け付けた入力データから出費日付を得ると共に、新規に表２７のＯ-１出費基本レコード労務提供出費番号を生成し、家族絆番号、労務提供出費番号、ログイン家族員番号、出費日付のデータを生成したＯ-１出費基本レコードの家族絆番号、労務提供出費番号、労務提供者家族員番号、出費日付のデータとしてそれぞれ格納する。
【０１３４】
【表２６】
2018067272.tif 000028
【０１３５】
処理Ｓ１４３
（出費内容入力の受付）
家族ネットワークサーバ３は、家族絆（療養看護/労務提供）労務提供者端末Y-８に出費内容（例示  表２６のT-10出費内容（療養看護））、摘要、画像（例  領収書の画像）の入力画面を表示する。入力されたデータを受け付け、受け付けたデータから出費内容、摘要、画像のデータを得る。
【０１３６】
処理Ｓ１４４
次いで、出費記録番号と新規に表２７のＯ-２出費内容レコードを生成し、労務提供出費番号、出費記録番号、出費内容、摘要、画像のデータを生成したＯ-２出費内容レコードの同名のデータ名のデータとして同レコードに格納する。
【０１３７】
処理Ｓ１４５
（同日の追加入力の有無を受け付ける）
家族ネットワークサーバ３は、家族絆（療養看護/労務提供）労務提供者端末Y-８に同日追加出費登録ボタンと同日出費登録終了ボタンを表示させる。同日追加出費登録ボタンクリックのときはボタン入力＝１、同日出費登録終了ボタンクリックのときはボタン入力データ＝０となる。次いで入力を受け付け、受け付けたデータからボタン入力データを得、ボタン入力データ＝１のときはステップＳ１４３（出費内容入力の受付）に遷移し、ボタン入力データ＝０のときは次に進む。
【０１３８】
処理Ｓ１４６
（他の家族へのメッセージ受付）
家族ネットワークサーバ３は、家族絆（療養看護/労務提供）労務提供者端末Y-８にメッセージ、画像入力画面を表示させる。次いで、データ入力を受け付け、受け付けたデータからメッセージ、画像のデータを得る。
【０１３９】
処理Ｓ１４７
（他の家族へのメッセージ格納）
家族ネットワークサーバ３は、表２７のＯ-３家族への報告レコードを新規に生成し、労務提供出費番号、ステップ１４６で得られたメッセージ、画像のデータを生成したＯ-３家族への報告レコードの同名のデータ名のデータとして同レコードに格納する。
【０１４０】
処理Ｓ１４８
（他日の追加入力の有無を受け付ける）
家族ネットワークサーバ３は、家族絆（療養看護/労務提供）労務提供者端末Y-８に他日追加出費登録ボタンと登録終了ボタンを表示する。他日追加出費登録ボタンクリックのときはボタン入力データ＝１、登録終了ボタンクリックのときはボタン入力データ＝０となる。次いで入力を受け付け、ボタン入力データ＝１のときはステップ１４１の（労務提供出費番号の生成、出費日付の入力受付処理）に遷移し、ボタン入力データ＝０のときは処理を終了する。
以上により、処理を終了する。
【０１４１】
処理Ｓ１５０
図１３Ｂ（ｂ）は、閲覧・出費へのメッセージ登録処理の流れを示すフローチャート図である。
（出費者へのメッセージ登録）
【０１４２】
処理Ｓ１５１
（労務提供出費実績閲覧・メッセージ入力画面表示）
家族ネットワークサーバ３は、家族絆番号をKEYにＯ-１出費基本レコード、Ｏ-２出費内容レコード、Ｏ-３家族への報告レコード、Ｏ-４家族からの返答レコード、Ｏ-５出費承認レコードのそれぞれの家族絆番号を検索しレコードの家族絆番号＝家族絆番号であるレコードをすべて抽出し、抽出したレコードのデータとJ-２家族員レコード、L-１家族絆基本レコード、L-３家族絆家族代表者レコードも加えて、労務提供出費実績閲覧・メッセージ入力画面（例示  図１９）を編集し家族絆（療養看護/労務提供）家族員端末Y-９に表示させる。メッセージ入力と画像添付は、「家族から労務提供者へ」欄、「家族の承認」欄に表示される入力ボタン、添付ボタンをクリックすることにより行うことが出来る。
【０１４３】
【表２７】
2018067272.tif 000029
【０１４４】
処理Ｓ１５２
家族ネットワークサーバ３は、返答者の家族員番号＝ログイン家族員番号とし、表２７の新規Ｏ-４家族からの返答レコードを生成すると共に前ステップの労務提供出費実績閲覧・メッセージ/画像入力画面の「家族から労務提供者へ」欄の入力ボタン、添付ボタンをクリックすることから始まる入力/添付のデータ入力を受け付ける。受け付けた入力データから労務提供出費番号、返答者の家族員番号、メッセージデータ、画像データを得、生成したＯ-４家族からの返答レコードの同名のデータ名のデータとして同レコードに格納する。
これにより、処理を終了する。
【０１４５】
図１３Ｂ（ｃ）は、閲覧・出費承認登録処理の流れを示すフローチャート図である。
（閲覧・出費承認登録）
処理Ｓ１６０
（労務提供実績閲覧・承認判断入力画面表示）
家族ネットワークサーバ３は、家族絆番号をKEYにＯ-１出費基本レコード、Ｏ-２出費内容レコード、Ｏ-３家族への報告レコード、Ｏ-４家族からの返答レコード、Ｏ-５出費承認レコードのそれぞれの家族絆番号を検索し、レコードの家族絆番号＝家族絆番号であるレコードをすべて抽出し、抽出したレコードのデータとJ-２家族員レコード、L-１家族絆基本レコード、L-３家族絆家族代表者レコードも加えて、労務提供出費実績閲覧・メッセージ入力画面（例示  図１９）を編集し家族絆（療養看護/労務提供）家族員端末Y-９に表示させる。
【０１４６】
処理Ｓ１６１
（承認判断入力の有権限者かどうかの判定）
家族ネットワークサーバ３は、表１０のL-３家族絆家族代表者レコードから同レコードの家族絆番号＝家族絆番号となるレコードについて、絆参加家族代表者家族員番号＝ログイン家族員番号という条件を満たすレコードを検索する。
【０１４７】
処理Ｓ１６２
家族ネットワークサーバ３は、前ステップで検索結果が「なし」のときは、「承認権限なし」と表示し処理を終了する。
（家族の承認判断の入力データ受付・格納）
家族ネットワークサーバ３は、その労労務提供出費実績閲覧・メッセージ入力画面の「家族の承認」欄の入力ボタンをクリックすることから始まる入力のデータ入力を受け付ける。「家族の承認」欄の入力ボタンをクリックすると、承認ボタンと不承認ボタンが表示され、承認ボタンクリックのときはボタン入力データ＝“承認”、承認ボタンクリックのときはボタン入力データ＝“不承認”となる。受け付ける入力データは、出費記録番号とボタン入力データとなる。
家族ネットワークサーバ３は、受け付けたデータから出費記録番号とボタン入力データを得る。
【０１４８】
【表２８】
2018067272.tif 000030
【０１４９】
処理Ｓ１６３
家族ネットワークサーバ３は、新規に表２８のＯ-５出費承認レコードを生成し、家族絆番号、出費記録番号、ボタン入力データ、絆参加家族代表者家族員番号を表２８のＯ-５出費承認レコードの家族絆番号、出費記録番号、承認結果、絆参加家族代表者家族員番号のデータとして同レコードに格納する。また、「家族の承認」欄に、ボタン入力データのデータを表示する。
処理Ｓ１６５
以上により処理を終える。
【０１５０】
以下、家族絆を利用した資金協力処理について説明する。
（家族絆（資金協力））
図１４（ａ）、（ｂ）は、家族絆（資金協力）処理の流れを示すフローチャート図である。
ここで、図１４Ａ，図１４Ｂ、図１５Ａ，図１５Ｂと遷移するフローチャートにおける家族絆（資金協力）処理の流れは、資金協力家族絆構築処理部で行う。
【０１５１】
処理Ｓ１７１
（家族絆構築とデータの登録）
当該家族絆を構築する家族は、それぞれの端末を用いログイン画面から、家族間関係、家族絆登録の家族絆登録のステップの手順に従い、絆目的＝療養看護、家族絆方法＝資金協力、とする家族絆の構築と登録を行い、家族ネットワークサーバ３は前記手順に従って処理を行い、処理されたデータを適切なレコードに格納する。
以下に、詳細な処理について説明する。
【０１５２】
（家族間共同協力活動の処理）
処理Ｓ１８１
（該当する家族絆番号を得る）
家族ネットワークサーバ３は、表１０のL-４家族絆参加家族員レコードから同レコードの絆参加家族員番号のデータがログイン家族番号と一致するレコードを抽出し、さらに抽出したレコードとL-１家族絆基本レコードについて、家族絆番号のデータが一致するL-１家族絆基本レコードのうち、家族絆方法＝資金協力であるレコードを抽出するという条件で家族絆番号をＫＥＹに検索し、該当するレコードを抽出する。該当するレコードが抽出されなかった場合には、ステップ１９１に進む。
【０１５３】
処理Ｓ１８２、Ｓ１８３
（入力・閲覧する家族絆の選択入力受付）
家族ネットワークサーバ３は、抽出したL-１家族絆基本レコードから家族絆番号と家族絆名を得、得られた家族絆番号、家族絆名と家族絆選択ボタンを、家族絆を構築する各端末に表示させる（例示  図２３の選択ボタン）。家族絆選択ボタンクリックによるボタン入力データのデータは家族絆番号となる。家族ネットワークサーバ３は、家族員による入力を受け付け、受け付けたデータから家族絆番号を得る。
【０１５４】
処理Ｓ１８３、Ｓ１８４
（機能の選択受付）
家族ネットワークサーバ３は、それぞれの各端末に口座見える化ボタンと資金出入管理簿見える化ボタンを表示する。口座見える化ボタンクリックのときはボタン入力データ＝１、資金出入管理簿見える化ボタンクリックのときはボタン入力データ＝２となる。家族ネットワークサーバ３は、クリック入力を受け付け、受け付けた入力データからボタン入力データを得る、得られたボタン入力データが１のときはステップＳ１８５の口座見える化のときの処理へ遷移し、２のときはステップＳ１８８の資金出入管理簿見える化のときの処理へ遷移する。
【０１５５】
（口座見える化のとき）
処理Ｓ１８５
家族ネットワークサーバ３は、家族絆（療養看護/資金協力）入出金記録管理者端末Ｙ-１０に口座開設受付ボタン、口座開設済みボタンを表示させる。口座開設受付ボタンをクリックするとボタン入力データ＝１、口座開設済みボタンをクリックするとボタン入力データ＝２となる。家族ネットワークサーバ３は、家族員によるデータ入力を受け付ける。受け付けた入力データからボタン入力データを得て、ボタン入力データ＝１のときはステップ１８７の口座開設受付処理へ、ボタン入力データ＝２のときはステップ１８６の実績登録/承認選択処理へ遷移する。
【０１５６】
【表２９】
2018067272.tif 000031
【０１５７】
処理Ｓ１８７
（口座開設受付処理のとき）
家族ネットワークサーバ３は、家族絆（療養看護/資金協力）入出金記録管理者端末Ｙ-１０に口座開設日入力画面を表示させ、口座開設日データ入力を受け付け、受け付けたデータから口座開設日データを得る。新規に表２９のP-１口座概要レコードと家族絆口座番号を生成し、最新残高＝０とし、家族絆番号、家族絆口座番号、口座開設日、最新残高のデータを生成したP-１口座概要レコードの同名のデータ名のデータとして同レコードに格納する。
【０１５８】
処理Ｓ１８６
（実績登録/承認選択処理）
家族ネットワークサーバ３は、家族絆（療養看護/資金協力）入出金記録管理者端末Ｙ-１０に、実績登録ボタン、承認判断入力ボタンを表示させる。実績登録ボタンをクリックするとボタン入力データ＝１、承認判断入力ボタンをクリックするとボタン入力データ＝２となる。家族ネットワークサーバ３は、家族員によるデータ入力を受け付ける。受け付けた入力データからボタン入力データを得て、ボタン入力データ＝１のときはステップＳ２０１の口座見える化実績登録処理へ、ボタン入力データ＝２のときはステップＳ２１１の口座見える化承認判断入力処理へ遷移する。
【０１５９】
処理Ｓ１９１
家族ネットワークサーバ３は、「該当家族絆なし」と表示し、処理を終了する。
【０１６０】
図１５Ａ、図１５Ｂは、口座見える化実績登録処理の流れを示すフローチャート図である。
【０１６１】
処理Ｓ２０１
（家族絆口座番号を得る）
家族ネットワークサーバ３は、家族絆番号のデータと表２９のP-１口座概要レコードの家族絆番号のデータが一致するレコードから家族絆口座番号を得る。
【０１６２】
処理Ｓ２０２
（実績登録受付）
家族ネットワークサーバ３は、家族絆の構築に関与する各端末に記録の種類、入出金の種類、入出金金額、残高、入金元/出金先、摘要、画像の入力画面（例示  図２０の絆口座実績登録/資金管理簿の入力画面）を表示させ、データ入力を受け付ける。受け付けたデータから記録の種類、入出金の種類、入出金金額、残高、入金元/出金先、摘要、画像のデータを得る。
【０１６３】
【表３０】
2018067272.tif 000032
表３０に入金の種類を示す（Ｔ−１１）。
【０１６４】
処理Ｓ２０３
（残高の計算）
次いで、表２９のP-１口座概要レコードの家族絆番号のデータが家族絆番号と一致するレコードを抽出し、抽出したレコードから最新残高を得る。前ステップで得られたデータによる次の残高計算を行う。
入出金の種類が“入金”のとき  残高＝最新残高+入出金金額
入出金の種類が“出金”のとき  残高＝最新残高-入出金金額
また、残高のデータを抽出したP-１口座概要レコードの最新残高として同レコードに格納する。
【０１６５】
【表３１】
2018067272.tif 000033
表３１に入金元を示す（Ｔ−１２）。
【０１６６】
【表３２】
2018067272.tif 000034
表３２に、出金の種類を示す（Ｔ−１３）。
【０１６７】
【表３３】
2018067272.tif 000035
【０１６８】
【表３４】
2018067272.tif 000036
【０１６９】
また、表３３に、出金先の種類（例示）を示す（Ｔ−１４）。表３４は、金の出入りの種類を示す（Ｔ−１５）。
【０１７０】
処理Ｓ２０４
（実績データの格納）
家族ネットワークサーバ３は、口座記録番号と新規P-２口座入出金レコード（表２９）を生成し、前ステップまでに得られたデータと併せ、家族絆口座番号、口座記録番号、記録の種類、入出金日付、入出金の種類、入出金金額、残高、入金元/出金先、摘要、画像のデータをP-２口座入出金レコードの同名のデータ名のデータとして生成された同レコードに格納する。
【０１７１】
処理Ｓ２０５
（追加登録の有無入力の受付）
家族ネットワークサーバ３は、家族絆を構築する各端末に追加登録ボタンと登録終了ボタンを表示させる。追加登録ボタンクリックのときはボタン入力データ＝１、登録終了ボタンクリックのときはボタン入力データ＝０となる。次いで入力を受け付け、ボタン入力データ＝１のときはステップ２０２の（実績登録受付）に遷移し、ボタン入力データ＝０のときは処理を終了する。
【０１７２】
図１５Ａ（ｂ）は、口座見える化承認処理の流れを示すフローチャート図である。
【０１７３】
処理Ｓ２１１
（口座見える化承認判断入力）
（家族絆口座実績閲覧・承認判断入力画面表示）
家族ネットワークサーバ３は、家族絆番号をKEYにP-１口座概要レコード、P-２口座入出金レコードの家族絆番号を検索し、レコードの家族絆番号＝家族絆番号であるレコードをすべて抽出し、抽出したレコードのデータとJ-２家族員レコード、L-１家族絆基本レコード、L-３家族絆家族代表者レコードも加えて、家族絆口座実績閲覧・承認判断入力画面（例示  図２１の家族絆口座実績閲覧・承認判断入力画面）を編集し家族絆を構築する各端末に表示させる。承認判断入力は「家族の承認」欄に表示される入力ボタンをクリックすることにより行うことが出来る。
【０１７４】
処理Ｓ２１２
（承認判断入力の有権限者かどうかの判定）
家族ネットワークサーバ３は、表１０のL-３家族絆家族代表者レコードから同レコードの家族絆番号＝家族絆番号となるレコードから、絆参加家族代表者家族員番号を得る。
家族ネットワークサーバ３は、ログイン家族員番号＝絆参加家族代表者家族員番号でないときは、「承認権限なし」と表示し処理を終了する（Ｓ２１５）。
【０１７５】
処理Ｓ２１３
（家族の承認判断の入力データ受付・格納）
家族員は、承認権限を持つ絆参加家族代表者である。
家族ネットワークサーバ３は、家族絆口座実績閲覧・承認判断入力画面（例示  図２１家族絆口座実績閲覧・承認判断入力画面。口座記録番号が含まれる）の「家族の承認」欄の入力ボタンをクリックすることから始まる入力のデータ入力を受け付ける。「家族の承認」欄の入力ボタンをクリックすると、承認ボタンと不承認ボタンが表示され、承認ボタンクリックのときはボタン入力データ＝“承認”、不承認ボタンクリックのときはボタン入力データ＝“不承認”となる。受け付ける入力データは、口座記録番号とボタン入力データとなる。
【０１７６】
【表３５】
2018067272.tif 000037
【０１７７】
処理Ｓ２１４
家族ネットワークサーバ３は、受け付けたデータから口座記録番号とボタン入力データを得る。
家族ネットワークサーバ３は、新規に表３５のP-3口座入出金承認レコードを生成し、家族絆番号、口座記録番号、ボタン入力データ、絆参加家族代表者家族員番号をP-3口座入出金承認レコードの家族絆番号、口座記録番号、承認結果、承認判断者家族員番号のデータとして同レコードに格納する。また、「家族の承認」欄に、ボタン入力データのデータを表示する。
以上により処理を終了する。
【０１７８】
処理Ｓ１８８
（資金出入管理簿見える化のとき）
家族ネットワークサーバ３は、それぞれの各端末に資金出入管理簿開設受付ボタン、資金出入管理簿開設済みボタンを表示させる。資金出入管理簿開設受付ボタンをクリックするとボタン入力データ＝１、資金出入管理簿開設済みボタンをクリックするとボタン入力データ＝２となる。家族ネットワークサーバ３は、家族員によるデータ入力を受け付ける。受け付けた入力データからボタン入力データを得、ボタン入力データ＝１のときはステップ１９０の（資金出入管理簿開設受付処理）へ、ボタン入力データ＝２のときはステップ１８９の（資金出入実績登録/承認選択処理）へ遷移する。
【０１７９】
処理Ｓ１９０
（資金出入管理簿開設受付）
家族ネットワークサーバ３は、家族絆（療養看護/資金協力）入出金記録管理者端末Ｙ-１０に資金出入管理簿開設日入力画面を表示させ、管理簿開設日データ入力を受け付け、受け付けたデータから管理簿開設日データを得る。新規にQ-１資金管理簿概要レコードと家族絆資金管理簿番号を生成し、最新残高＝０とし、家族絆番号、家族絆資金管理簿番号、管理簿開設日、最新残高のデータを生成したQ-１資金管理簿概要レコードの同名のデータ名のデータとして同レコードに格納する。
【０１８０】
処理Ｓ１８９
（資金出入実績登録/承認選択）
家族ネットワークサーバ３は、家族絆（療養看護/資金協力）入出金記録管理者端末Ｙ-１０に実績登録ボタン、承認判断入力ボタンを表示する。実績登録ボタンをクリックするとボタン入力データ＝１、承認判断入力ボタンをクリックするとボタン入力データ＝２となる。家族ネットワークサーバ３は、家族員によるデータ入力を受け付ける。受け付けた入力データからボタン入力データを得、ボタン入力データ＝１のときはステップ２２１の（管理簿実績登録処理）へ、ボタン入力データ＝２のときはステップ２３１の（管理簿承認判断入力処理）へ遷移する。
【０１８１】
【表３６】
2018067272.tif 000038
【０１８２】
図１５Ｂ（ｃ）は、管理簿実績登録処理の流れを示すフローチャート図である。
【０１８３】
（管理簿実績登録処理）
処理Ｓ２２１
（家族絆口座番号を得る）
家族ネットワークサーバ３は、表３６のQ-１資金管理簿概要レコードの家族絆番号のデータが家族絆番号のデータと一致するレコードから家族絆資金管理簿番号を得る。
【０１８４】
処理Ｓ２２２
（資金管理簿実績登録受付）
家族ネットワークサーバ３は、家族絆（療養看護/資金協力）入出金記録管理者端末Ｙ-１０に記録の種類、記録の種類、入出金金額、残高、入金元/出金先、摘要、画像の入力画面（例示  図２０の絆口座実績登録/資金管理簿の入力画面）を表示し、データ入力を受け付ける。受け付けたデータから記録の種類、記録の種類、入出金金額、残高、入金元/出金先、摘要、画像のデータを得る。
【０１８５】
処理Ｓ２２３
（残高の計算）
次いで、表３６のQ-１資金管理簿概要レコードの家族絆番号のデータが家族絆番号と一致するレコードを抽出し、抽出したレコードから最新残高を得る。前のステップで得られたデータによる次の残高計算を行う。
入出金の種類が“入金”のとき  残高＝最新残高+入出金金額
入出金の種類が“出金”のとき  残高＝最新残高-入出金金額
また、残高のデータを抽出したQ-１資金管理概要レコードの最新残高として同レコードに格納する。
【０１８６】
処理Ｓ２２４
（実績データの格納）
家族ネットワークサーバ３は、管理簿記録番号と表３６のQ-２資金入出金レコードを生成し、前のステップまでに得られた家族絆資金管理簿番号、管理簿記録番号、記録の種類、入出金日付、入出金の種類、入出金金額、残高、入金元/出金先、摘要、画像のデータを生成したQ-２資金入出金レコードの同名のデータ名のデータとして同レコードに格納する。
【０１８７】
処理Ｓ２２５
（追加登録の有無入力の受付）
家族ネットワークサーバ３は、家族絆（療養看護/資金協力）入出金記録管理者端末Ｙ-１０に追加登録ボタンと登録終了ボタンを表示する。追加登録ボタンクリックのときはボタン入力＝１、登録終了ボタンクリックのときはボタン入力データ＝０となる。次いで入力を受け付け、ボタン入力＝１のときはステップ２２２（資金管理簿実績登録受付）に遷移し、ボタン入力データ＝０のときは処理を終了する。
【０１８８】
図１５Ｂ（ｄ）は、管理簿承認判断入力処理の流れを示すフローチャート図である。
【０１８９】
（管理簿承認判断入力処理）
処理Ｓ２３１
（家族絆資金出入管理簿閲覧・承認判断入力画面表示）
家族ネットワークサーバ３は、家族絆番号をKEYにQ-１資金管理簿概要レコード、Q-２資金入出金レコードの家族絆番号を検索しレコードの家族絆番号＝家族絆番号であるレコードをすべて抽出し、抽出したレコードのデータとJ-２家族員レコード、L-１家族絆基本レコード、L-３家族絆家族代表者レコードも加えて、家族絆口座実績閲覧・承認判断入力画面（例示  図２２の家族絆口座実績閲覧・承認判断入力画面）を編集し家族絆を構築する各端末に表示させる。承認判断入力は「家族の承認」欄に表示される入力ボタン、をクリックすることにより行うことが出来る。
【０１９０】
処理Ｓ２３２
（承認判断入力の有権限者かどうかの判定）
家族ネットワークサーバ３は、L-３家族絆家族代表者レコードから同レコードの家族絆番号＝家族絆番号となるレコードについて、絆参加家族代表者家族員番号＝ログイン家族員番号という条件を満たすレコードを検索する。
【０１９１】
処理Ｓ２３４
家族ネットワークサーバ３は、前ステップで検索結果が「なし」のときは、「承認権限なし」と表示し（ステップＳ２３６）処理を終了する。
【０１９２】
処理Ｓ２３２、Ｓ２３３
（家族の承認判断の入力データ受付・格納）
家族ネットワークサーバ３は、家族絆資金出入管理簿閲覧・承認判断入力画の「家族の承認」欄の入力ボタンをクリックすることから始まる入力のデータ入力を受け付ける。「家族の承認」欄の入力ボタンをクリックすると、承認ボタンと不承認ボタンが表示され、承認ボタンクリックのときはボタン入力データ＝“承認”、承認ボタンクリックのときはボタン入力データ＝“不承認”となる。受け付ける入力データは、管理簿記録番号とボタン入力データとなる。
【０１９３】
処理Ｓ２３５
家族ネットワークサーバ３は、受け付けたデータから管理簿記録番号とボタン入力データを得る。
【０１９４】
【表３７】
2018067272.tif 000039
【０１９５】
次いで、家族ネットワークサーバ３は、新規に表３７のQ-３管理簿入出金承認レコードを生成し、家族絆番号、管理簿記録番号、ボタン入力データ、絆参加家族代表者家族員番号をQ-３管理簿入出金承認レコードの家族絆番号、管理簿記録番号、承認結果、承認判断者家族員番号のデータとして同レコードに格納する。また、「家族の承認」欄に、ボタン入力データのデータを表示する。
これにより、処理を終了する。
【０１９６】
図１６Ａ（ａ）、図１６Ｂ（ｂ）は、隣人有志絆を適用した処理の流れを示すフローチャート図である。
ここでフローチャートにおける隣人有志絆処理の流れは、隣人有志絆処理部が行う。
【０１９７】
（隣人有志絆処理）
処理Ｓ２４１
当該隣人有志絆申請当および該隣人有志登録者は、それぞれの端末を用いログインから、Ｃ：隣人有志者登録、Ｄ：隣人有志絆登録の隣人有志絆登録のステップの手順に従い、絆目的＝住宅支援、絆内容種類＝先行体験情報、専門知識情報の提供協力、とする隣人有志絆の構築と登録を行い、家族ネットワークサーバ３は前記手順に従って処理を行い、処理されたデータを適切なレコードに格納する。
これにより、登録処理を終了する。
【０１９８】
図１６Ｂ（ｂ）は、登録後の先行体験情報、専門知識情報の提供処理の流れを示す。
処理Ｓ２５１
（該当する家族絆番号レコードを得る）
家族ネットワークサーバ３は、表１７のM-3隣人有志チームレコードから同レコードの隣人有志チーム員家族員番号がログイン家族員番号と一致するレコードを抽出し、抽出したレコードについて、さらに抽出したレコードの隣人有志絆申請番号とMP−１隣人有志絆申請レコード（表１８）の隣人有志絆申請番号のデータが一致するMP−１隣人有志絆申請レコードのうち、絆目的＝住宅支援、絆内容種類＝先行体験情報、専門知識情報の提供協力、商品・サービス＝住居、であるMP−１隣人有志絆申請レコードを抽出する。抽出できなかったときは、例えば「一致する隣人有志絆なし」と表示し、処理を終了する。
【０１９９】
処理Ｓ２５２
（入力・閲覧する隣人有志絆の選択入力受付）
家族ネットワークサーバ３は、抽出したMP−１隣人有志絆申請レコードから隣人有志絆申請番号と絆名を得、得られた隣人有志絆申請番号、絆名と隣人有志絆選択ボタンを隣人有志絆（療養看護/先行体験情報）住居（高齢者住宅）隣人有志チーム員端末Y-12に表示する（例示  選択ボタン例２）。隣人有志絆選択ボタンクリックによるボタン入力データのデータは隣人有志絆申請番号となる。家族ネットワークサーバ３は、家族員による入力を受け付け、受け付けたデータから隣人有志絆申請番号を得る。
【０２００】
処理Ｓ２５３、Ｓ２５４
（機能の選択受付）
家族ネットワークサーバ３は、隣人有志絆（療養看護/先行体験情報）住居（高齢者住宅）隣人有志チーム員端末Y-12に情報交信ボタンと閲覧ボタンを表示させる。情報交信ボタンクリックのときはボタン入力データ＝１、閲覧ボタンクリックのときはボタン入力データ＝２となる。家族ネットワークサーバ３は、クリック入力を受け付け、受け付けた入力データからボタン入力データを得る、得られたボタン入力データが１のときはステップ２５７の（情報交信処理）へ遷移し、2のときはステップ２５５の（閲覧処理）へ遷移する。
【０２０１】
処理Ｓ２５７
（情報交信処理）
（隣人有志チームリーダー・申請者）
家族ネットワークサーバ３は、隣人有志絆申請番号がM-４隣人有志チームリーダーレコードの隣人有志絆申請番号のデータと一致するレコードからリーダー家族員番号を得、ログイン家族員番号と得られたリーダー家族員番号が一致する場合はUFLAG=1とする。さらに隣人有志絆申請番号がMP−１隣人有志絆申請レコードの隣人有志絆申請番号のデータと一致するレコードから隣人有志絆申請者家族員番号を得、ログイン家族員番号と得られた隣人有志絆申請者家族員番号が一致する場合はUFLAG=２とし、いずれも一致しない場合はUFLAG=９９９とする。
【０２０２】
処理Ｓ２６１
（隣人有志チームリーダー・申請者交信）
家族ネットワークサーバ３は、隣人有志絆（療養看護/先行体験情報）住居（高齢者住宅）隣人有志チーム員端末Y-12に隣人有志チームリーダー・申請者交信ボタンと一般交信ボタンを表示させる。隣人有志チームリーダー・申請者交信ボタンをクリックするとボタン入力データ＝１、一般交信ボタンをクリックするとボタン入力データ＝２となる。次いで、入力を受け付け、受け付けた入力データからボタン入力データを得る。ボタン入力データ＝２のときは、ステップＳ２５８（一般交信）へ進む。ボタン入力データ＝１のとき、UFLAG=1、あるいはUFLAG=２のときはステップＳ２６２（隣人有志チームリーダー・申請者交信）へ進み、それ以外のときは「権限なし」と隣人有志絆を構築する端末に表示し、処理を終了する。
【０２０３】
【表３８】
2018067272.tif 000040
【０２０４】
【表３９】
2018067272.tif 000041
【０２０５】
処理Ｓ２５８
（一般交信）
家族ネットワークサーバ３は、隣人有志絆（療養看護/先行体験情報）住居（高齢者住宅）隣人有志チーム員端末Y-12に、情報交信の主な目的（例示  表３９のT-16情報交信の主な目的）、情報交信年月日、交信情報内容（テキスト）、交信情報内容（画像）の情報交信入力画面を表示する。情報交信番号を生成すると共に入力データを受け付け、入力データから情報交信の主な目的、情報交信年月日、交信情報内容（テキスト）、交信情報内容（画像）データを得る。家族ネットワークサーバ３は、表３８のR-１共有情報レコードを新規生成し、隣人有志絆申請番号、情報交信の主な目的、情報交信年月日、交信情報内容（テキスト）、交信情報内容（画像）を生成したR-１共有情報レコードの同名のデータ名のデータとして同レコードに格納する。
（チーム員にメール連絡）へ遷移する。
【０２０６】
処理Ｓ２６２
（隣人有志チームリーダー・申請者交信）
家族ネットワークサーバ３は、隣人有志絆（療養看護/先行体験情報）住居（高齢者住宅）隣人有志チーム員端末Y-12に、情報交信の主な目的（例示  T-16情報交信の主な目的）、情報交信年月日、交信情報内容（テキスト）、交信情報内容（画像）の情報交信入力画面を表示する。情報交信番号を生成すると共に入力データを受け付け、入力データから情報交信の主な目的、情報交信年月日、交信情報内容（テキスト）、交信情報内容（画像）のデータを得る。家族ネットワークサーバ３は、表３８のR-２申請者・絆チームリーダー交信情報レコードを新規生成し、隣人有志絆申請番号、情報交信の主な目的、情報交信年月日、交信情報内容（テキスト）、交信情報内容（画像）を生成したR-２申請者・絆チームリーダー交信情報レコードの同名のデータ名のデータとして同レコードに格納する。
（チーム員にメール連絡）へ遷移する。
【０２０７】
処理Ｓ２６０
（チーム員にメール連絡）
家族ネットワークサーバ３は、隣人有志絆申請番号がM-3隣人有志チームレコードの隣人有志絆申請番号隣人有志絆申請番号のデータと一致するレコードを抽出し、抽出したすべてのレコードについてから次の処理を行う。レコードから隣人有志チーム員家族員番号を得、さらに隣人有志チーム員家族員番号と一致する家族員データを持つJ-２家族員レコードからメールアドレスを得、得られたメールアドレスに「情報交信がありました」という旨のメールを発信する。
【０２０８】
処理Ｓ２６１
（追加交信の有無の受付）
家族ネットワークサーバ３は、隣人有志絆を構築する端末に追加交信ボタンと交信終了ボタンを表示する。追加交信ボタンクリックのときはボタン入力＝１、交信終了ボタンクリックのときはボタン入力データ＝０となる。次いで入力を受け付け、ボタン入力＝１のときはステップ２６３の（機能の選択受付）に遷移し、ボタン入力データ＝０のときは処理を終了する。
【０２０９】
処理Ｓ２５５
（閲覧処理）
（閲覧機能の選択）
家族ネットワークサーバ３は、隣人有志絆を構築する端末に共有情報表示ボタンと申請者・絆チームリーダー交信情報表示ボタンを表示する。共有情報表示ボタンクリックのときはボタン入力＝１、申請者・絆チームリーダー交信情報表示ボタンクリックのときはボタン入力データ＝０となる。次いで入力を受け付け、ボタン入力＝１のときはステップＳ２５６（共有情報表示）に遷移し、ボタン入力データ＝０のときはステップＳ２５９（申請者・絆チームリーダー交信情報表示）へ進む。
【０２１０】
処理Ｓ２５６
（共有情報表示）
家族ネットワークサーバ３は、表３８のR-１共有情報レコード、MP−１隣人有志絆申請レコードとR-１共有情報レコードについてレコードの隣人有志絆申請番号が隣人有志絆申請番号と一致するR-１共有情報レコード、MP−１隣人有志絆申請レコードとR-１共有情報レコード抽出し、抽出したレコードのデータから隣人有志絆情報交信記録画面（例示  隣人有志交信画面）を編集し、隣人有志絆を構築する端末に表示させる。次いで、ステップＳ２６１追加交信の有無の受付処理へ進む。
【０２１１】
処理Ｓ２５９
（申請者・絆チームリーダー交信情報表示）
家族ネットワークサーバ３は、表３８のR-２申請者・絆チームリーダー交信情報レコード、MP−１隣人有志絆申請レコードとR-１共有情報レコードについてレコードの隣人有志絆申請番号が隣人有志絆申請番号と一致するR-１共有情報レコード、MP−１隣人有志絆申請レコードとR-１共有情報レコード抽出し、抽出したレコードのデータから隣人有志絆情報交信記録画面（例示  隣人有志交信画面）を編集し、隣人有志絆を構築する端末に表示させる。
次いで、ステップＳ２６１追加交信の有無の受付処理へ進む。
【０２１２】
以上に説明したように、本実施の形態によれば、以下の技術を実現することができる。
１）労務提供協力実績見える化技術
２）（生活）資金協力の出入金見える化技術
３）高齢者住宅探しで、情報支援。探すプロセスを情報で表現。
４）家族と家族の関係を構築確認・設定する技術
５）家族絆の設定技術、
６）隣人有志絆の設定技術
【０２１３】
処理および制御は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）によるソフトウェア処理、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）によるハードウェア処理によって実現することができる。
【０２１４】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
また、本発明の各構成要素は、任意に取捨選択することができ、取捨選択した構成を具備する発明も本発明に含まれるものである。
【０２１５】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
【０２１６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【０２１７】
（付記）
本発明は、以下の開示を含む。
（１）家族登録
（背景）
家族自身が家族間関係（家族間ネットワーク）構築のために家族自身の情報を情報システム上で表現する情報システムが見当たらない。
（特徴）
・家族と家族員を情報システム上で表現し、自家族あるいは他家族による家族間関係（家族間ネットワーク）構築に備える。
・家族の代表者を設定すること（※住民票の筆頭者などとは別）。家族の代表者は、次項の家族間関係構築に承認権限を持つ。
【０２１８】
（２）家族間関係構築
（背景）
たとえば、個人的にかわす年賀状。多くの年賀状には、差出人の家族状況が書かれている。若い人からの年賀状には子どもの年齢まで書かれていることも多い。これは、家族と家族のつながり関係を表現しているともいえ、個人ベースでは家族間ネットワークと呼ぶことが出来る。ただし、留意すべき点は2点。個人的であり普遍的でないところから、多くの人々（家族）が参加するネットワークにはなりえない。また、SNSは、個人間のネットワークであり、家族間のネットワークではない。他の1点は、家族間ネットワークだけでは直接共同行動には結びつかないことである。年賀状は漢族間ネットワークを表すものではあるが、だからといって特定の共同協力行動の目的を共有することではないからである。
共同協力行動に同意し、その目的等を共有するのが家族絆であり隣人有志絆である。
（特徴）
・家族と家族を関係づけること（法律上の親子兄弟関係ばかりでなく、知り合い家族関係なども含む）。
・家族間関係を情報システム上に表し、誰でも（家族）が家族間関係を構築に参加できる。
・普遍性
・家族間関係の構築は、申請者（家族）が家族間関係構築を申請し、被申請者（家族）が承認することにより行われる。
・上記承認は家族の代表者が行う。
・申請から承認にあたっては、申請者の本人確認と被申請者の本人確認、および被申請者が申請者を既知かどうかの確認を行い、その後被申請者（家族）が承認判断を行い、申請者に伝えるプロセスを採る。
【０２１９】
（３）家族絆構築（参加家族の設定）
（背景）
家族間関係（家族間ネットワーク）だけでは、家族間の共同協力行動は実現しない。目的等を共有し賛同する参加メンバー（家族）を決めることが必要である。
（特徴）
・設定された家族間関係（家族間ネットワーク）に基づくこと。
・構築は、申請者（家族）が、共同協力行動の目的、方法を明示し、家族絆を申請し、被申請者（家族）が承認することにより行われる。
・上記承認は家族の代表者が行う。
・当該共同協力活動について家族の代表を設定する。この家族の代表は共同協力活動ごとに設定されるものであり、家族間関係における家族の代表者とは必ずしも同一人ではない。この家族の代表は共同協力活動の実績について承認権限を持つ者として設定。
・申請から承認にあたっては、申請者の本人確認と被申請者の本人確認、および被申請者が申請者を既知かどうかの確認を行い、その後被申請者（家族）が承認判断を行うプロセスを採る。
【０２２０】
（４）隣人有志絆構築（参加隣人有志の設定）
（背景）
少子高齢化の進展などにより、隣人有志による共同協力活動の必要性はますます高まっている。その為には隣人有志者メンバーの確保・拡大ばかりでなく、共同協力活動のまとめ役としての隣人有志者メンバーのリーダーの設定が重要である。隣人有志者メンバーとして隣人有志絆申請者との情報交換、その結果を隣人有志者メンバーとの情報共有を容易にすることにより、共同協力活動の制御を実現することが必要だからである。
（特徴）
・個人が隣人有志者として共同協力可能な活動の目的、絆内容種類、および隣人有志者メンバーのリーダーの引受可能性を予め登録すること。
・隣人有志絆登録は、申請者が共同協力可能な活動の目的、絆内容種類を明記して申請し、管理サーバが登録済みの隣人有志者の中から目的と絆内容種類が一致する者を選び通知し、通知を受け取った隣人有志者が協力可否（承認）判断することにより行われる。
・リーダーは引受可能性のある有志者などから別途口頭等により設定される。
【０２２１】
（５）家族絆（労務提供）
（背景）
相続に関して、被相続人（老親を想定）に対する療養看護（介護）の労務提供の評価が強化される方向にある。相続内容は相続人間で協議されることから、当該労務提供の実績が相続人間で承認されなければならないが、相続人全員が同居しているなど特殊な状況でなければ、日々の承認を積み重ねるのはなかなか難しい。
（特徴）
・（ユーザである）相続人等の設定を普遍的なサービスである前項の家族絆によって行うことから、家族の追加や参加家族員等の変更を容易に行うことが出来る。
・また、家族絆を利用することにより、家族絆参加家族毎に当該家族の代表者が設定されている。代表者は家族を代表して労務提供実績や経費実績の承認権限を持つ。
・労務提供の実績登録と労務提供に関わる経費実績の登録ができる。
経費については、たとえば遠方に住む老親の介護をするために移動に要した飛行機代等。相続協議時に評価されるべきことがらと考えている。
・複数の提供者の労務提供実績登録も可である。
・実績登録は日にちごとの登録で、労務提供の開始時間、終了時間の登録が可。同一日で複数の登録が可である。
・労務提供実績を証明する材料とするために労務提供に関わる画像（例  介護中の写真）を登録することが出来る（日にちごとに可である）。
・労務提供実績と共に労務提供者を含めて参加家族員間でのメッセージ登録ができる（日にちごとに可である）。
・登録された労務提供実績の細目ごとに、他の家族が承認判断に基づく承認・不承認をできること、およびその表示とそのデータの蓄積ができる。
・経費実績を証明する材料とするために経費出費に関わる画像（例  領収書の写真）を登録することが出来る（経費ごとに可である）。
・経費実績と共に経費出費者（労務提供者）を含めて参加家族員間でのメッセージ登録ができる（経費ごとに可である）。
・登録された経費実績ごとに、他の家族が承認判断に基づく承認・不承認をできること、およびその表示とそのデータの蓄積ができる。
【０２２２】
（６）家族絆（資金協力）
（背景）
家族の生活費というカネの問題を家族間で協力するということも重要である。これは相続において被相続人（老親を想定）にカネの面で協力することは評価されることもある。相続内容は相続人間で協議されることから、当該カネの動きは相続人間で承認されなければならないが、相続人全員が同居しているなど特殊な状況でなければ、日々の承認を積み重ねるのはなかなか難しい。
銀行の個人口座の入出金情報を直接PC等端末でアクセスする方法については、金融の安全性の観点から１口座１端末に限定される方向にある。複数の家族が直接銀行口座（個人口座）にアクセスするのはむずかしく、家族間で銀行口座（例  老親の個人口座）における入出金情報は、情報システムによる共有の仕組みが必要である。
（特徴）
・（ユーザである）相続人等の家族員設定を普遍的なサービスである前項の家族絆によって行うことから、家族の追加や参加家族員等の変更を容易に行うことが出来る。
・また、家族絆を利用することにより、家族絆参加家族毎に当該家族の代表者が設定されている。代表者は家族を代表して入出金実績の承認権限を持つ。
・口座入出金の実績登録と、手許現金の入出金実績の登録ができる。手許現金は口座から引き出したお金である。
・複数の家族員による入出金実績登録も可である。
・実績登録は入出金ごとの登録で、入金元、出金先、備考も登録可で、おカネの出入状況に関する情報が一目瞭然とすることが出来る。
・入出金実績を証明する材料とするために入出金に関わる画像（例  銀行通帳の写真、領収書の写真）を登録することが出来る。
・登録された入出金ごとに、他の家族が承認判断に基づく承認・不承認をできること、およびその表示とそのデータの蓄積ができる。
【０２２３】
（７）隣人有志絆
（背景）
高齢者の住宅について、高齢者本人一人だけでは、あるいは高齢夫婦だけでは解決がむずかしい。住宅に関する費用は高額になることから、情報がとくに重要である。情報は、いわゆるコンサルテーションも含め家族外の先行経験者や専門家からの情報が重要である。しかし、これら情報はネットにしても、リアルにしても当事者が情報源にアクセスすることが求められ、高齢者には負担が大きい。
一方、情報を提供する側にとっては、いわば際限のない情報提供は提供のしようがないことから住宅の取得やリフォームに向かう進行段階や状況を示されると効果的な情報提供・情報交換が可能になる。
（特徴）
・隣人有志者設定を普遍的なサービスである前項の隣人有志絆によって行うことから、隣人有志者の追加等の変更を容易に行うことが出来る。
・隣人有志者メンバーのリーダーと隣人有志絆申請者との情報交換情報の区分（リーダーと申請者が住宅所得のための検討段階の変更などの情報を他の情報と区分）
隣人有志者メンバーのリーダーが隣人有志絆申請者との情報交換により、住宅の取得やリフォームに向かう段階を進行させることが出来る。また他の隣人有志者メンバーがこれを閲覧することで進行段階の変更等が理解できる。これは、いわば進行管理で必要不可欠の機能であるが、これを実現している既存技術は見当たらない。
・情報提供、情報交換内容の内容が進行段階別に蓄積され、共同協力活動（情報提供・情交換）が効率よく進む。
・情報はすべて共有される。
【産業上の利用可能性】
【０２２４】
本発明は、情報処理装置に利用可能である。
【符号の説明】
【０２２５】
Ｙ…携帯端末（クライント端末）、
３…管理サーバ３（家族ネットワークサーバ＝情報処理装置）
ＮＴ…ネットワーク
Ｙ−０…ログインユーザ端末
Ｙ−１…家族・家族員登録申請者端末
Ｙ−２…家族間関係構築申請者端末
Ｙ−３…家族間関係構築被申請者端末
Ｙ−４…家族絆申請者端末
Ｙ−５…家族絆被申請者端末
Ｙ−６…隣人有志者登録申請者端末
Ｙ−７…隣人有志絆申請者端末
Ｙ−８…家族絆（療養看護/労務提供）労務提供者端末
Ｙ−９…家族絆（療養看護/労務提供）家族代表者端末
Ｙ−１０…家族絆（療養看護/資金協力）入出金記録管理者端末
Ｙ−１１…隣人有志絆申請者端末
Ｙ−１２…隣人有志絆チーム員端末
Ｙ−１３…隣人有志絆チームリーダー端末
【図１】
2018067272.tif 000042
【図２】
2018067272.tif 000043
【図３】
2018067272.tif 000044
【図４】
2018067272.tif 000045
【図５】
2018067272.tif 000046
【図６】
2018067272.tif 000047
【図７Ａ】
2018067272.tif 000048
【図７Ｂ】
2018067272.tif 000049
【図８】
2018067272.tif 000050
【図９】
2018067272.tif 000051
【図１０】
2018067272.tif 000052
【図１１】
2018067272.tif 000053
【図１２Ａ】
2018067272.tif 000054
【図１２Ｂ】
2018067272.tif 000055
【図１３Ａ】
2018067272.tif 000056
【図１３Ｂ】
2018067272.tif 000057
【図１４】
2018067272.tif 000058
【図１５Ａ】
2018067272.tif 000059
【図１５Ｂ】
2018067272.tif 000060
【図１６Ａ】
2018067272.tif 000061
【図１６Ｂ】
2018067272.tif 000062
【図１７】
2018067272.tif 000063
【図１８】
2018067272.tif 000064
【図１９】
2018067272.tif 000065
【図２０】
2018067272.tif 000066
【図２１】
2018067272.tif 000067
【図２２】
2018067272.tif 000068
【図２３】
2018067272.tif 000069
【図２４】
2018067272.tif 000070